(57)【特許請求の範囲】
【請求項１】
製版されたマスタを印刷ドラムの外周面に巻装し、上記印刷ドラム上の上記マスタにインキを供給し、押圧手段により上記印刷ドラムに対して印刷用紙を押し付けて印刷画像を上記印刷用紙上に形成する印刷装置において、
上記印刷ドラムに対する上記押圧手段の押圧力を変化させるための押圧力可変手段と、
上記印刷ドラムの内周面に上記インキを供給するインキローラとこのインキローラに近接して配置されたドクターローラとを具備し、上記印刷ドラム内に配設されたインキ供給手段と、
上記インキローラと上記ドクターローラとの近接部における上記インキローラの回転方向下流側のインキ塗布面にインキ層を介して接触すべく配置されているインキ粘度検出ローラと、このインキ粘度検出ローラを一定の回転速度で回転するローラ駆動手段と、このローラ駆動手段に電力を供給する電源と、この電源から上記ローラ駆動手段に供給される電流値を検出する電流値検出手段とから構成され、上記電流値の変化を検出することによって上記インキの粘度を検出する粘度検出手段と、
上記粘度検出手段により検出されたインキ粘度に応じて、予め設定された制御パターンテーブルの中から所定の上記押圧力を選択し、この選択された所定の上記押圧力が上記印刷ドラムに加わるように上記押圧力可変手段を制御する押圧力可変制御手段と、
を有することを特徴とする印刷装置。
【請求項２】
製版されたマスタを印刷ドラムの外周面に巻装し、上記印刷ドラム上の上記マスタにインキを供給し、押圧手段により上記印刷ドラムに対して印刷用紙を押し付けて印刷画像を上記印刷用紙上に形成する印刷装置において、
上記印刷ドラムに対する上記押圧手段の押圧力を変化させるための押圧力可変手段と、
上記印刷ドラムの内周面に上記インキを供給するインキローラとこのインキローラに近接して配置されたドクターローラとを具備し、上記印刷ドラム内に配設されたインキ供給手段と、
上記インキローラと上記ドクターローラとの近接部における上記インキローラの回転方向下流側のインキ塗布面にインキ層を介して接触すべく配置されているインキ粘度検出ローラと、このインキ粘度検出ローラを一定の回転速度で回転するローラ駆動手段と、このローラ駆動手段に電力を供給する電源と、この電源から上記ローラ駆動手段に供給される電流値を検出する電流値検出手段とから構成され、上記電流値の変化を検出することによって上記インキの粘度を検出する粘度検出手段と、
上記インキの種類を検出するインキ種類検出手段と、
上記粘度検出手段により検出されたインキ粘度と上記インキ種類検出手段により検出されたインキ種類とに応じて、予め設定された制御パターンテーブルの中から所定の上記押圧力を選択し、この所定の上記押圧力が上記印刷ドラムに加わるように上記押圧力可変手段を制御する押圧力可変制御手段と、
を有することを特徴とする印刷装置。
【請求項３】
製版されたマスタを印刷ドラムの外周面に巻装し、上記印刷ドラム上の上記マスタにインキを供給し、押圧手段により上記印刷ドラムに対して印刷用紙を押し付けて印刷画像を上記印刷用紙上に形成する印刷装置において、
上記印刷ドラムに対する上記押圧手段の押圧力を変化させるための押圧力可変手段と、
上記印刷ドラムの内周面に上記インキを供給するインキローラとこのインキローラに近接して配置されたドクターローラとを具備し、上記印刷ドラム内に配設されたインキ供給手段と、
上記インキローラと上記ドクターローラとの近接部における上記インキローラの回転方向下流側のインキ塗布面にインキ層を介して接触すべく配置されているインキ粘度検出ローラと、このインキ粘度検出ローラを一定の回転速度で回転するローラ駆動手段と、このローラ駆動手段に電力を供給する電源と、この電源から上記ローラ駆動手段に供給される電流値を検出する電流値検出手段とから構成され、上記電流値の変化を検出することによって上記インキの粘度を検出する粘度検出手段と、
上記インキの種類を設定するインキ種類設定手段と、
上記粘度検出手段により検出されたインキ粘度と上記インキ種類設定手段により設定されたインキ種類とに応じて、予め設定された制御パターンテーブルの中から所定の上記押圧力を選択し、この所定の上記押圧力が上記印刷ドラムに加わるように上記押圧力可変手段を制御する押圧力可変制御手段と、
を有することを特徴とする印刷装置。
【請求項４】
製版されたマスタを印刷ドラムの外周面に巻装し、上記印刷ドラム上の上記マスタにインキを供給し、押圧手段により上記印刷ドラムに対して印刷用紙を押し付けて印刷画像を上記印刷用紙上に形成する印刷装置において、
上記印刷ドラムに対する上記押圧手段の押圧力を変化させるための押圧力可変手段と、
上記印刷ドラムの内周面に上記インキを供給するインキローラとこのインキローラに近接して配置されたドクターローラとを具備し、上記印刷ドラム内に配設されたインキ供給手段と、
上記インキローラと上記ドクターローラとの近接部における上記インキローラの回転方向下流側のインキ塗布面にインキ層を介して接触すべく配置されているインキ粘度検出ローラと、このインキ粘度検出ローラを一定の回転速度で回転するローラ駆動手段と、このローラ駆動手段に電力を供給する電源と、この電源から上記ローラ駆動手段に供給される電流値を検出する電流値検出手段とから構成され、上記電流値の変化を検出することによって上記インキの粘度を検出する粘度検出手段と、
上記印刷装置の印刷速度は可変であり、該印刷速度を選択的に設定する印刷速度設定手段と、
上記粘度検出手段により検出されたインキ粘度と上記印刷速度設定手段により設定された印刷速度とに応じて、予め設定された制御パターンテーブルの中から所定の上記押圧力を選択し、この所定の上記押圧力が上記印刷ドラムに加わるように上記押圧力可変手段を制御する押圧力可変制御手段と、
を有することを特徴とする印刷装置。
【請求項５】
製版されたマスタを印刷ドラムの外周面に巻装し、上記印刷ドラム上の上記マスタにインキを供給し、押圧手段により上記印刷ドラムに対して印刷用紙を押し付けて印刷画像を上記印刷用紙上に形成する印刷装置において、
上記印刷ドラムに対する上記押圧手段の押圧力を変化させるための押圧力可変手段と、
上記印刷ドラムの内周面に上記インキを供給するインキローラとこのインキローラに近接して配置されたドクターローラとを具備し、上記印刷ドラム内に配設されたインキ供給手段と、
上記インキローラと上記ドクターローラとの近接部における上記インキローラの回転方向下流側のインキ塗布面にインキ層を介して接触すべく配置されているインキ粘度検出ローラと、このインキ粘度検出ローラを一定の回転速度で回転するローラ駆動手段と、このローラ駆動手段に電力を供給する電源と、この電源から上記ローラ駆動手段に供給される電流値を検出する電流値検出手段とから構成され、上記電流値の変化を検出することによって上記インキの粘度を検出する粘度検出手段と、
上記インキの種類を検出するインキ種類検出手段と、
上記印刷装置の印刷速度は可変であり、該印刷速度を選択的に設定する印刷速度設定手段と、
上記粘度検出手段により検出されたインキ粘度と上記インキ種類検出手段により検出されたインキ種類と上記印刷速度設定手段により設定された印刷速度とに応じて、予め設定された制御パターンテーブルの中から所定の上記押圧力を選択し、この所定の上記押圧力が上記印刷ドラムに加わるように上記押圧力可変手段を制御する押圧力可変制御手段と、
を有することを特徴とする印刷装置。
【請求項６】
製版されたマスタを印刷ドラムの外周面に巻装し、上記印刷ドラム上の上記マスタにインキを供給し、押圧手段により上記印刷ドラムに対して印刷用紙を押し付けて印刷画像を上記印刷用紙上に形成する印刷装置において、
上記印刷ドラムに対する上記押圧手段の押圧力を変化させるための押圧力可変手段と、
上記印刷ドラムの内周面に上記インキを供給するインキローラとこのインキローラに近接して配置されたドクターローラとを具備し、上記印刷ドラム内に配設されたインキ供給手段と、
上記インキローラと上記ドクターローラとの近接部における上記インキローラの回転方向下流側のインキ塗布面にインキ層を介して接触すべく配置されているインキ粘度検出ローラと、このインキ粘度検出ローラを一定の回転速度で回転するローラ駆動手段と、このローラ駆動手段に電力を供給する電源と、この電源から上記ローラ駆動手段に供給される電流値を検出する電流値検出手段とから構成され、上記電流値の変化を検出することによって上記インキの粘度を検出する粘度検出手段と、
上記インキの種類を設定するインキ種類設定手段と、
上記印刷装置の印刷速度は可変であり、該印刷速度を選択的に設定する印刷速度設定手段と、
上記粘度検出手段により検出されたインキ粘度と上記インキ種類設定手段により設定されたインキ種類と上記印刷速度設定手段により設定された印刷速度とに応じて、予め設定された制御パターンテーブルの中から所定の上記押圧力を選択し、この所定の上記押圧力が上記印刷ドラムに加わるように上記押圧力可変手段を制御する押圧力可変制御手段と、
を有することを特徴とする印刷装置。
【請求項７】
製版されたマスタを印刷ドラムの外周面に巻装し、上記印刷ドラム上の上記マスタにインキを供給し、押圧手段により上記印刷ドラムに対して印刷用紙を押し付けて印刷画像を上記印刷用紙上に形成する印刷装置において、
上記印刷ドラムに対する上記押圧手段の押圧力を変化させるための押圧力可変手段と、
上記印刷ドラムの内周面に上記インキを供給するインキローラとこのインキローラに近接して配置されたドクターローラとを具備し、上記印刷ドラム内に配設されたインキ供給手段と、
上記インキローラと上記ドクターローラとの近接部における上記インキローラの回転方向下流側のインキ塗布面にインキ層を介して接触すべく配置されているインキ粘度検出ローラと、このインキ粘度検出ローラを一定の回転速度で回転するローラ駆動手段と、このローラ駆動手段に電力を供給する電源と、この電源により上記ローラ駆動手段に加えられる電圧値を検出する電圧値検出手段とから構成され、上記電圧値の変化を検出することによって上記インキの粘度を検出する粘度検出手段と、
上記粘度検出手段により検出されたインキ粘度に応じて、予め設定された制御パターンテーブルの中から所定の上記押圧力を選択し、この選択された所定の上記押圧力が上記印刷ドラムに加わるように上記押圧力可変手段を制御する押圧力可変制御手段と、
を有することを特徴とする印刷装置。
【請求項８】
製版されたマスタを印刷ドラムの外周面に巻装し、上記印刷ドラム上の上記マスタにインキを供給し、押圧手段により上記印刷ドラムに対して印刷用紙を押し付けて印刷画像を上記印刷用紙上に形成する印刷装置において、
上記印刷ドラムに対する上記押圧手段の押圧力を変化させるための押圧力可変手段と、
上記印刷ドラムの内周面に上記インキを供給するインキローラとこのインキローラに近接して配置されたドクターローラとを具備し、上記印刷ドラム内に配設されたインキ供給手段と、
上記インキローラと上記ドクターローラとの近接部における上記インキローラの回転方向下流側のインキ塗布面にインキ層を介して接触すべく配置されているインキ粘度検出ローラと、このインキ粘度検出ローラを一定の回転速度で回転するローラ駆動手段と、このローラ駆動手段に電力を供給する電源と、この電源により上記ローラ駆動手段に加えられる電圧値を検出する電圧値検出手段とから構成され、上記電圧値の変化を検出することによって上記インキの粘度を検出する粘度検出手段と、
上記インキの種類を検出するインキ種類検出手段と、
上記粘度検出手段により検出されたインキ粘度と上記インキ種類検出手段により検出されたインキ種類とに応じて、予め設定された制御パターンテーブルの中から所定の上記押圧力を選択し、この所定の上記押圧力が上記印刷ドラムに加わるように上記押圧力可変手段を制御する押圧力可変制御手段と、
を有することを特徴とする印刷装置。
【請求項９】
製版されたマスタを印刷ドラムの外周面に巻装し、上記印刷ドラム上の上記マスタにインキを供給し、押圧手段により上記印刷ドラムに対して印刷用紙を押し付けて印刷画像を上記印刷用紙上に形成する印刷装置において、
上記印刷ドラムに対する上記押圧手段の押圧力を変化させるための押圧力可変手段と、
上記印刷ドラムの内周面に上記インキを供給するインキローラとこのインキローラに近接して配置されたドクターローラとを具備し、上記印刷ドラム内に配設されたインキ供給手段と、
上記インキローラと上記ドクターローラとの近接部における上記インキローラの回転方向下流側のインキ塗布面にインキ層を介して接触すべく配置されているインキ粘度検出ローラと、このインキ粘度検出ローラを一定の回転速度で回転するローラ駆動手段と、このローラ駆動手段に電力を供給する電源と、この電源により上記ローラ駆動手段に加えられる電圧値を検出する電圧値検出手段とから構成され、上記電圧値の変化を検出することによって上記インキの粘度を検出する粘度検出手段と、
上記インキの種類を設定するインキ種類設定手段と、
上記粘度検出手段により検出されたインキ粘度と上記インキ種類設定手段により設定されたインキ種類とに応じて、予め設定された制御パターンテーブルの中から所定の上記押圧力を選択し、この所定の上記押圧力が上記印刷ドラムに加わるように上記押圧力可変手段を制御する押圧力可変制御手段と、
を有することを特徴とする印刷装置。
【請求項１０】
製版されたマスタを印刷ドラムの外周面に巻装し、上記印刷ドラム上の上記マスタにインキを供給し、押圧手段により上記印刷ドラムに対して印刷用紙を押し付けて印刷画像を上記印刷用紙上に形成する印刷装置において、
上記印刷ドラムに対する上記押圧手段の押圧力を変化させるための押圧力可変手段と、
上記印刷ドラムの内周面に上記インキを供給するインキローラとこのインキローラに近接して配置されたドクターローラとを具備し、上記印刷ドラム内に配設されたインキ供給手段と、
上記インキローラと上記ドクターローラとの近接部における上記インキローラの回転方向下流側のインキ塗布面にインキ層を介して接触すべく配置されているインキ粘度検出ローラと、このインキ粘度検出ローラを一定の回転速度で回転するローラ駆動手段と、このローラ駆動手段に電力を供給する電源と、この電源により上記ローラ駆動手段に加えられる電圧値を検出する電圧値検出手段とから構成され、上記電圧値の変化を検出することによって上記インキの粘度を検出する粘度検出手段と、
上記印刷装置の印刷速度は可変であり、該印刷速度を選択的に設定する印刷速度設定手段と、
上記粘度検出手段により検出されたインキ粘度と上記印刷速度設定手段により設定された印刷速度とに応じて、予め設定された制御パターンテーブルの中から所定の上記押圧力を選択し、この所定の上記押圧力が上記印刷ドラムに加わるように上記押圧力可変手段を制御する押圧力可変制御手段と、
を有することを特徴とする印刷装置。
【請求項１１】
製版されたマスタを印刷ドラムの外周面に巻装し、上記印刷ドラム上の上記マスタにインキを供給し、押圧手段により上記印刷ドラムに対して印刷用紙を押し付けて印刷画像を上記印刷用紙上に形成する印刷装置において、
上記印刷ドラムに対する上記押圧手段の押圧力を変化させるための押圧力可変手段と、
上記印刷ドラムの内周面に上記インキを供給するインキローラとこのインキローラに近接して配置されたドクターローラとを具備し、上記印刷ドラム内に配設されたインキ供給手段と、
上記インキローラと上記ドクターローラとの近接部における上記インキローラの回転方向下流側のインキ塗布面にインキ層を介して接触すべく配置されているインキ粘度検出ローラと、このインキ粘度検出ローラを一定の回転速度で回転するローラ駆動手段と、このローラ駆動手段に電力を供給する電源と、この電源により上記ローラ駆動手段に加えられる電圧値を検出する電圧値検出手段とから構成され、上記電圧値の変化を検出することによって上記インキの粘度を検出する粘度検出手段と、
上記インキの種類を検出するインキ種類検出手段と、
上記印刷装置の印刷速度は可変であり、該印刷速度を選択的に設定する印刷速度設定手段と、
上記粘度検出手段により検出されたインキ粘度と上記インキ種類検出手段により検出されたインキ種類と上記印刷速度設定手段により設定された印刷速度とに応じて、予め設定された制御パターンテーブルの中から所定の上記押圧力を選択し、この所定の上記押圧力が上記印刷ドラムに加わるように上記押圧力可変手段を制御する押圧力可変制御手段と、
を有することを特徴とする印刷装置。
【請求項１２】
製版されたマスタを印刷ドラムの外周面に巻装し、上記印刷ドラム上の上記マスタにインキを供給し、押圧手段により上記印刷ドラムに対して印刷用紙を押し付けて印刷画像を上記印刷用紙上に形成する印刷装置において、
上記印刷ドラムに対する上記押圧手段の押圧力を変化させるための押圧力可変手段と、
上記印刷ドラムの内周面に上記インキを供給するインキローラとこのインキローラに近接して配置されたドクターローラとを具備し、上記印刷ドラム内に配設されたインキ供給手段と、
上記インキローラと上記ドクターローラとの近接部における上記インキローラの回転方向下流側のインキ塗布面にインキ層を介して接触すべく配置されているインキ粘度検出ローラと、このインキ粘度検出ローラを一定の回転速度で回転するローラ駆動手段と、このローラ駆動手段に電力を供給する電源と、この電源により上記ローラ駆動手段に加えられる電圧値を検出する電圧値検出手段とから構成され、上記電圧値の変化を検出することによって上記インキの粘度を検出する粘度検出手段と、
上記インキの種類を設定するインキ種類設定手段と、
上記印刷装置の印刷速度は可変であり、該印刷速度を選択的に設定する印刷速度設定手段と、
上記粘度検出手段により検出されたインキ粘度と上記インキ種類設定手段により設定されたインキ種類と上記印刷速度設定手段により設定された印刷速度とに応じて、予め設定された制御パターンテーブルの中から所定の上記押圧力を選択し、この所定の上記押圧力が上記印刷ドラムに加わるように上記押圧力可変手段を制御する押圧力可変制御手段と、
を有することを特徴とする印刷装置。
【請求項１３】
製版されたマスタを印刷ドラムの外周面に巻装し、上記印刷ドラム上の上記マスタにインキを供給し、押圧手段により上記印刷ドラムに対して印刷用紙を押し付けて印刷画像を上記印刷用紙上に形成する印刷装置において、
上記印刷ドラムに対する上記押圧手段の押圧力を変化させるための押圧力可変手段と、
上記印刷ドラムの内周面に上記インキを供給するインキローラとこのインキローラに近接して配置されたドクターローラとを具備し、上記印刷ドラム内に配設されたインキ供給手段と、
上記インキローラと上記ドクターローラとの近接部における上記インキローラの回転方向下流側のインキ塗布面にインキ層を介して接触すべく配置されているインキ粘度検出ローラと、このインキ粘度検出ローラを一定のトルクで回転するローラ駆動手段と、このローラ駆動手段をして一定の上記トルクで回転駆動させる定電流を供給する定電流電源と、上記インキ粘度検出ローラの回転速度を検出するローラ速度検出手段とから構成され、上記インキ粘度検出ローラの回転速度の変化を検出することによって上記インキの粘度を検出する粘度検出手段と、
上記粘度検出手段により検出されたインキ粘度に応じて、予め設定された制御パターンテーブルの中から所定の上記押圧力を選択し、この選択された所定の上記押圧力が上記印刷ドラムに加わるように上記押圧力可変手段を制御する押圧力可変制御手段と、
を有することを特徴とする印刷装置。
【請求項１４】
製版されたマスタを印刷ドラムの外周面に巻装し、上記印刷ドラム上の上記マスタにインキを供給し、押圧手段により上記印刷ドラムに対して印刷用紙を押し付けて印刷画像を上記印刷用紙上に形成する印刷装置において、
上記印刷ドラムに対する上記押圧手段の押圧力を変化させるための押圧力可変手段と、
上記印刷ドラムの内周面に上記インキを供給するインキローラとこのインキローラに近接して配置されたドクターローラとを具備し、上記印刷ドラム内に配設されたインキ供給手段と、
上記インキローラと上記ドクターローラとの近接部における上記インキローラの回転方向下流側のインキ塗布面にインキ層を介して接触すべく配置されているインキ粘度検出ローラと、このインキ粘度検出ローラを一定のトルクで回転するローラ駆動手段と、このローラ駆動手段をして一定の上記トルクで回転駆動させる定電流を供給する定電流電源と、上記インキ粘度検出ローラの回転速度を検出するローラ速度検出手段とから構成され、上記インキ粘度検出ローラの回転速度の変化を検出することによって上記インキの粘度を検出する粘度検出手段と、
上記インキの種類を検出するインキ種類検出手段と、
上記粘度検出手段により検出されたインキ粘度と上記インキ種類検出手段により検出されたインキ種類とに応じて、予め設定された制御パターンテーブルの中から所定の上記押圧力を選択し、この所定の上記押圧力が上記印刷ドラムに加わるように上記押圧力可変手段を制御する押圧力可変制御手段と、
を有することを特徴とする印刷装置。
【請求項１５】
製版されたマスタを印刷ドラムの外周面に巻装し、上記印刷ドラム上の上記マスタにインキを供給し、押圧手段により上記印刷ドラムに対して印刷用紙を押し付けて印刷画像を上記印刷用紙上に形成する印刷装置において、
上記印刷ドラムに対する上記押圧手段の押圧力を変化させるための押圧力可変手段と、
上記印刷ドラムの内周面に上記インキを供給するインキローラとこのインキローラに近接して配置されたドクターローラとを具備し、上記印刷ドラム内に配設されたインキ供給手段と、
上記インキローラと上記ドクターローラとの近接部における上記インキローラの回転方向下流側のインキ塗布面にインキ層を介して接触すべく配置されているインキ粘度検出ローラと、このインキ粘度検出ローラを一定のトルクで回転するローラ駆動手段と、このローラ駆動手段をして一定の上記トルクで回転駆動させる定電流を供給する定電流電源と、上記インキ粘度検出ローラの回転速度を検出するローラ速度検出手段とから構成され、上記インキ粘度検出ローラの回転速度の変化を検出することによって上記インキの粘度を検出する粘度検出手段と、
上記インキの種類を設定するインキ種類設定手段と、
上記粘度検出手段により検出されたインキ粘度と上記インキ種類設定手段により設定されたインキ種類とに応じて、予め設定された制御パターンテーブルの中から所定の上記押圧力を選択し、この所定の上記押圧力が上記印刷ドラムに加わるように上記押圧力可変手段を制御する押圧力可変制御手段と、
を有することを特徴とする印刷装置。
【請求項１６】
製版されたマスタを印刷ドラムの外周面に巻装し、上記印刷ドラム上の上記マスタにインキを供給し、押圧手段により上記印刷ドラムに対して印刷用紙を押し付けて印刷画像を上記印刷用紙上に形成する印刷装置において、
上記印刷ドラムに対する上記押圧手段の押圧力を変化させるための押圧力可変手段と、
上記印刷ドラムの内周面に上記インキを供給するインキローラとこのインキローラに近接して配置されたドクターローラとを具備し、上記印刷ドラム内に配設されたインキ供給手段と、
上記インキローラと上記ドクターローラとの近接部における上記インキローラの回転方向下流側のインキ塗布面にインキ層を介して接触すべく配置されているインキ粘度検出ローラと、このインキ粘度検出ローラを一定のトルクで回転するローラ駆動手段と、このローラ駆動手段をして一定の上記トルクで回転駆動させる定電流を供給する定電流電源と、上記インキ粘度検出ローラの回転速度を検出するローラ速度検出手段とから構成され、上記インキ粘度検出ローラの回転速度の変化を検出することによって上記インキの粘度を検出する粘度検出手段と、
上記印刷装置の印刷速度は可変であり、該印刷速度を選択的に設定する印刷速度設定手段と、
上記粘度検出手段により検出されたインキ粘度と上記印刷速度設定手段により設定された印刷速度とに応じて、予め設定された制御パターンテーブルの中から所定の上記押圧力を選択し、この所定の上記押圧力が上記印刷ドラムに加わるように上記押圧力可変手段を制御する押圧力可変制御手段と、
を有することを特徴とする印刷装置。
【請求項１７】
製版されたマスタを印刷ドラムの外周面に巻装し、上記印刷ドラム上の上記マスタにインキを供給し、押圧手段により上記印刷ドラムに対して印刷用紙を押し付けて印刷画像を上記印刷用紙上に形成する印刷装置において、
上記印刷ドラムに対する上記押圧手段の押圧力を変化させるための押圧力可変手段と、
上記印刷ドラムの内周面に上記インキを供給するインキローラとこのインキローラに近接して配置されたドクターローラとを具備し、上記印刷ドラム内に配設されたインキ供給手段と、
上記インキローラと上記ドクターローラとの近接部における上記インキローラの回転方向下流側のインキ塗布面にインキ層を介して接触すべく配置されているインキ粘度検出ローラと、このインキ粘度検出ローラを一定のトルクで回転するローラ駆動手段と、このローラ駆動手段をして一定の上記トルクで回転駆動させる定電流を供給する定電流電源と、上記インキ粘度検出ローラの回転速度を検出するローラ速度検出手段とから構成され、上記インキ粘度検出ローラの回転速度の変化を検出することによって上記インキの粘度を検出する粘度検出手段と、
上記インキの種類を検出するインキ種類検出手段と、
上記印刷装置の印刷速度は可変であり、該印刷速度を選択的に設定する印刷速度設定手段と、
上記粘度検出手段により検出されたインキ粘度と上記インキ種類検出手段により検出されたインキ種類と上記印刷速度設定手段により設定された印刷速度とに応じて、予め設定された制御パターンテーブルの中から所定の上記押圧力を選択し、この所定の上記押圧力が上記印刷ドラムに加わるように上記押圧力可変手段を制御する押圧力可変制御手段と、
を有することを特徴とする印刷装置。
【請求項１８】
製版されたマスタを印刷ドラムの外周面に巻装し、上記印刷ドラム上の上記マスタにインキを供給し、押圧手段により上記印刷ドラムに対して印刷用紙を押し付けて印刷画像を上記印刷用紙上に形成する印刷装置において、
上記印刷ドラムに対する上記押圧手段の押圧力を変化させるための押圧力可変手段と、
上記印刷ドラムの内周面に上記インキを供給するインキローラとこのインキローラに近接して配置されたドクターローラとを具備し、上記印刷ドラム内に配設されたインキ供給手段と、
上記インキローラと上記ドクターローラとの近接部における上記インキローラの回転方向下流側のインキ塗布面にインキ層を介して接触すべく配置されているインキ粘度検出ローラと、このインキ粘度検出ローラを一定のトルクで回転するローラ駆動手段と、このローラ駆動手段をして一定の上記トルクで回転駆動させる定電流を供給する定電流電源と、上記インキ粘度検出ローラの回転速度を検出するローラ速度検出手段とから構成され、上記インキ粘度検出ローラの回転速度の変化を検出することによって上記インキの粘度を検出する粘度検出手段と、
上記インキの種類を設定するインキ種類設定手段と、
上記印刷装置の印刷速度は可変であり、該印刷速度を選択的に設定する印刷速度設定手段と、
上記粘度検出手段により検出されたインキ粘度と上記インキ種類設定手段により設定されたインキ種類と上記印刷速度設定手段により設定された印刷速度とに応じて、予め設定された制御パターンテーブルの中から所定の上記押圧力を選択し、この所定の上記押圧力が上記印刷ドラムに加わるように上記押圧力可変手段を制御する押圧力可変制御手段と、
を有することを特徴とする印刷装置。
【請求項１９】
請求項１３乃至１８の何れか一つに記載の印刷装置において、
上記ローラ速度検出手段は、上記インキ粘度検出ローラに配設されたエンコーダと、該エンコーダに近接して配置され該エンコーダと協働してパルスを発生するパルス発生器とを有し、
上記パルス発生器から発生する上記パルスの変化に基づいて上記インキの粘度を検出することを特徴とする印刷装置。
【請求項２０】
請求項１乃至１９の何れか一つに記載の印刷装置において、
上記押圧手段が、プレスローラであることを特徴とする印刷装置。
【請求項２１】
請求項１乃至１９の何れか一つに記載の印刷装置において、
上記押圧手段が、上記印刷ドラムの外周面と略同径の圧胴であることを特徴とする印刷装置。
【請求項２２】
印刷ドラムの内周面にインキを供給するインキローラとこのインキローラに近接して配置されたドクターローラとの近接部における上記インキローラの回転方向下流側のインキ塗布面にインキ層を介して接触すべく配置されたインキ粘度検出ローラと、このインキ粘度検出ローラを一定の回転速度で回転するローラ駆動手段と、このローラ駆動手段に電力を供給する電源と、この電源から上記ローラ駆動手段に供給される電流値を検出する電流値検出手段とを有するインキ粘度検出装置であって、
上記電流値の変化を検出することによって上記インキの粘度を検出することを特徴とするインキ粘度検出装置。
【請求項２３】
印刷ドラムの内周面にインキを供給するインキローラとこのインキローラに近接して配置されたドクターローラとの近接部における上記インキローラの回転方向下流側のインキ塗布面にインキ層を介して接触すべく配置されたインキ粘度検出ローラと、このインキ粘度検出ローラを一定の回転速度で回転するローラ駆動手段と、このローラ駆動手段に電力を供給する電源と、この電源により上記ローラ駆動手段に加えられる電圧値を検出する電圧値検出手段とを有するインキ粘度検出装置であって、
上記電圧値の変化を検出することによって上記インキの粘度を検出することを特徴とするインキ粘度検出装置。
【請求項２４】
印刷ドラムの内周面にインキを供給するインキローラとこのインキローラに近接して配置されたドクターローラとの近接部における上記インキローラの回転方向下流側のインキ塗布面にインキ層を介して接触すべく配置されたインキ粘度検出ローラと、このインキ粘度検出ローラを一定のトルクで回転するローラ駆動手段と、このローラ駆動手段をして一定の上記トルクで回転駆動させる定電流を供給する定電流電源と、上記インキ粘度検出ローラの回転速度を検出するローラ速度検出手段とを有するインキ粘度検出装置であって、
上記インキ粘度検出ローラの回転速度の変化を検出することによって上記インキの粘度を検出することを特徴とするインキ粘度検出装置。
【請求項２５】
請求項２４記載のインキ粘度検出装置において、
上記ローラ速度検出手段は、上記インキ粘度検出ローラに配設されたエンコーダと、該エンコーダに近接して配置され該エンコーダと協働してパルスを発生するパルス発生器とを有し、
上記パルス発生器から発生する上記パルスの変化に基づいて上記インキの粘度を検出することを特徴とするインキ粘度検出装置。
【発明の詳細な説明】
【０００１】
【発明の属する技術分野】
本発明は、孔版印刷装置等の印刷装置及びそれに用いるインキ粘度検出装置に関する。
【０００２】
【従来の技術】
簡便な印刷装置として感熱デジタル製版式の孔版印刷装置が良く知られている。この孔版印刷装置では、熱可塑性樹脂フィルム（以下、単に「フィルム」というときがある）と多孔質の支持体として和紙繊維や合成繊維、あるいは和紙繊維及び合成繊維を混抄したもの等とを貼り合わせたラミネート構造のマスタを用いて、このマスタのフィルム面を製版手段としてのサーマルヘッドの発熱素子に接触させ、原稿読取部によって読み取られた画像情報に基づいてサーマルヘッドを主走査方向に作動させることによりマスタのフイルム面を選択的に熱溶融穿孔して穿孔画像を形成し、プラテンローラ等でマスタを副走査方向に移動させながら、その穿孔製版された製版済みのマスタを、多孔性円筒体状の版胴（以下、「印刷ドラム」という）の外周面上に自動的に巻装し、版胴内部のインキ供給手段よりインキを供給し、プレスローラ等の押圧手段で製版済みのマスタを介して給送された印刷用紙を版胴に連続的に押し付けることにより、印刷ドラムの開孔部分、さらにはマスタの穿孔部分よりインキを滲み出させ、このインキを印刷用紙に転移させて印刷を行うようになっている（例えば、図１８及び特開平５−２２９２４３号公報参照）。
【０００３】
このような孔版印刷装置では、多くの場合、顔料、樹脂、溶剤、界面活性剤及び水等を含むエマルジョンインキが用いられている。このエマルジョンインキは、使用時の温・湿度や長時間放置後の水分の蒸発等によって、その粘性に関して環境依存性が大きいことが知られている。インキの粘性は、特に孔版印刷において、印刷用紙へのインキ転移量に影響を及ぼす重要な特性の一つであり、そのインキの粘性の如何によって印刷画像の画質、すなわち画像濃度、ベタ埋まり及び裏移り等の諸画質が大きく変化することになる。すなわち、上記のような一般的な従来の孔版印刷装置においては、そのときの環境条件や放置時間等によりインキ自身の粘性が大きく変化してしまうことで印刷用紙へのインキ転移量も変化し、一定濃度の安定した画質が得られない場合があるといった不具合を生じていた。
【０００４】
そこで、上記したようなインキ粘度の環境依存性に伴う画質変化に対して、インキ温度や機械の放置時間等の使用状態に応じて、プレスローラ等の押圧手段による印刷ドラムに対する圧接力（以下、単に「印圧」というときがある）を変化させることで、環境条件の変化に対しての画質変動を少なくする技術が幾つか提案されている（例えば、特開平２−１５１４７３号、特開平６−１５５８８０号、特開平６−１５５８８１号、特開平５−１５５８８２号、特開平６−１９９０２８号公報等参照）。これらの技術では、印刷速度、温度及び放置時間等の各種パラメータによる画像品質の変化分を予め実験値として求めておいて、これらの実験値に基づいて設定された制御パターンテーブルと、各種の検知手段により機械から検知された印刷速度、温度、放置時間等の検出データとを照合することで、上記各種パラメータによる画像品質の変動に対して適正な印圧制御を行い、常に安定した画像品質が得られる制御を行っている。
【０００５】
【発明が解決しようとする課題】
しかしながら、上記の各技術では、根本的に画質に影響を及ぼしているインキの粘度そのものを検出・測定しインキ粘度検出データとしてフィードバックしているわけではなく、環境温度や放置時間といったいわば間接的な検出データをインキ粘度の代用特性値として使用しているだけであるため、実際には機械ごとの実状に合ったより木目の細かな印圧設定が行われないばかりか、実験値で設定された制御パターンテーブルと、実機でのインキ挙動とのズレが発生しやすく、そのような状況が発生したような場合には、その変化に対応することができずに狙いとした効果が得られない場合が生じる問題点がある。
【０００６】
また、上述したように、インキの粘度のうちでも特に長時間放置後のインキ粘度は湿度による影響も受けるので、この湿度による影響を避けるためには上記のような従来の制御技術によるだけでは対応できず、湿度検出手段等が必要となって制御がますます複雑になってしまうという問題点もある。
【０００７】
また、実験値を用いて制御パターンテーブルを決定する際にも、印刷速度、温度、放置時間及びインキ種類等の幾つかの異なるパラメータに対してそれぞれ画像品質の変化を確認しなければならず、必要とされる実験値のデータ量がどうしても多くなってしまう問題がある。さらには、上記各パラメータの変動をとらえるためのセンサも複数必要となってくるなど、制御そのものがどうしても複雑になってしまうと共に、それらが開発設計段階での大きな負担となってしまうという問題点をも有している。
【０００８】
したがって、本発明の第１の目的はかかる問題点を解決するために、従来から実施、あるいは提案されているような上述した構成に基づき動作する孔版印刷装置等の印刷装置において、温度や放置時間等による画像品質変化の根本的な原因となっているインキ自身の粘度変化を直接的に検出し、さらには設定印刷速度、インキ種類（ドラム種類）等の情報と組合わせることで実機ごとの実状に合ったより木目の細かな印圧の制御を行い、複雑な制御パターンテーブルや数多くのセンサ等を持たなくても、環境に対して変動の少ない安定した品質の印刷画像が得られる印刷装置を提供することにある。
【０００９】
さらに、本発明の第２の目的は、インキ供給手段のインキ塗布面におけるインキ層のインキの粘度を検出・測定するためのインキ粘度検出装置を提供することにある。
【００１０】
【課題を解決するための手段】
上述した目的を達成するために、請求項１記載の発明は、製版されたマスタを印刷ドラムの外周面に巻装し、上記印刷ドラム上の上記マスタにインキを供給し、押圧手段により上記印刷ドラムに対して印刷用紙を押し付けて印刷画像を上記印刷用紙上に形成する印刷装置において、上記印刷ドラムに対する上記押圧手段の押圧力を変化させるための押圧力可変手段と、上記印刷ドラムの内周面に上記インキを供給するインキローラとこのインキローラに近接して配置されたドクターローラとを具備し、上記印刷ドラム内に配設されたインキ供給手段と、上記インキローラと上記ドクターローラとの近接部における上記インキローラの回転方向下流側のインキ塗布面にインキ層を介して接触すべく配置されているインキ粘度検出ローラと、このインキ粘度検出ローラを一定の回転速度で回転するローラ駆動手段と、このローラ駆動手段に電力を供給する電源と、この電源から上記ローラ駆動手段に供給される電流値を検出する電流値検出手段とから構成され、上記電流値の変化を検出することによって上記インキの粘度を検出する粘度検出手段と、上記粘度検出手段により検出されたインキ粘度に応じて、予め設定された制御パターンテーブルの中から所定の上記押圧力を選択し、この選択された所定の上記押圧力が上記印刷ドラムに加わるように上記押圧力可変手段を制御する押圧力可変制御手段とを有することを特徴とする。
【００１１】
請求項２記載の発明は、製版されたマスタを印刷ドラムの外周面に巻装し、上記印刷ドラム上の上記マスタにインキを供給し、押圧手段により上記印刷ドラムに対して印刷用紙を押し付けて印刷画像を上記印刷用紙上に形成する印刷装置において、上記印刷ドラムに対する上記押圧手段の押圧力を変化させるための押圧力可変手段と、上記印刷ドラムの内周面に上記インキを供給するインキローラとこのインキローラに近接して配置されたドクターローラとを具備し、上記印刷ドラム内に配設されたインキ供給手段と、上記インキローラと上記ドクターローラとの近接部における上記インキローラの回転方向下流側のインキ塗布面にインキ層を介して接触すべく配置されているインキ粘度検出ローラと、このインキ粘度検出ローラを一定の回転速度で回転するローラ駆動手段と、このローラ駆動手段に電力を供給する電源と、この電源から上記ローラ駆動手段に供給される電流値を検出する電流値検出手段とから構成され、上記電流値の変化を検出することによって上記インキの粘度を検出する粘度検出手段と、上記インキの種類を検出するインキ種類検出手段と、上記粘度検出手段により検出されたインキ粘度と上記インキ種類検出手段により検出されたインキ種類とに応じて、予め設定された制御パターンテーブルの中から所定の上記押圧力を選択し、この所定の上記押圧力が上記印刷ドラムに加わるように上記押圧力可変手段を制御する押圧力可変制御手段とを有することを特徴とする。
【００１２】
請求項３記載の発明は、製版されたマスタを印刷ドラムの外周面に巻装し、上記印刷ドラム上の上記マスタにインキを供給し、押圧手段により上記印刷ドラムに対して印刷用紙を押し付けて印刷画像を上記印刷用紙上に形成する印刷装置において、上記印刷ドラムに対する上記押圧手段の押圧力を変化させるための押圧力可変手段と、上記印刷ドラムの内周面に上記インキを供給するインキローラとこのインキローラに近接して配置されたドクターローラとを具備し、上記印刷ドラム内に配設されたインキ供給手段と、上記インキローラと上記ドクターローラとの近接部における上記インキローラの回転方向下流側のインキ塗布面にインキ層を介して接触すべく配置されているインキ粘度検出ローラと、このインキ粘度検出ローラを一定の回転速度で回転するローラ駆動手段と、このローラ駆動手段に電力を供給する電源と、この電源から上記ローラ駆動手段に供給される電流値を検出する電流値検出手段とから構成され、上記電流値の変化を検出することによって上記インキの粘度を検出する粘度検出手段と、上記インキの種類を設定するインキ種類設定手段と、上記粘度検出手段により検出されたインキ粘度と上記インキ種類設定手段により設定されたインキ種類とに応じて、予め設定された制御パターンテーブルの中から所定の上記押圧力を選択し、この所定の上記押圧力が上記印刷ドラムに加わるように上記押圧力可変手段を制御する押圧力可変制御手段とを有することを特徴とする。
【００１３】
請求項４記載の発明は、製版されたマスタを印刷ドラムの外周面に巻装し、上記印刷ドラム上の上記マスタにインキを供給し、押圧手段により上記印刷ドラムに対して印刷用紙を押し付けて印刷画像を上記印刷用紙上に形成する印刷装置において、上記印刷ドラムに対する上記押圧手段の押圧力を変化させるための押圧力可変手段と、上記印刷ドラムの内周面に上記インキを供給するインキローラとこのインキローラに近接して配置されたドクターローラとを具備し、上記印刷ドラム内に配設されたインキ供給手段と、上記インキローラと上記ドクターローラとの近接部における上記インキローラの回転方向下流側のインキ塗布面にインキ層を介して接触すべく配置されているインキ粘度検出ローラと、このインキ粘度検出ローラを一定の回転速度で回転するローラ駆動手段と、このローラ駆動手段に電力を供給する電源と、この電源から上記ローラ駆動手段に供給される電流値を検出する電流値検出手段とから構成され、上記電流値の変化を検出することによって上記インキの粘度を検出する粘度検出手段と、上記印刷装置の印刷速度は可変であり、該印刷速度を選択的に設定する印刷速度設定手段と、上記粘度検出手段により検出されたインキ粘度と上記印刷速度設定手段により設定された印刷速度とに応じて、予め設定された制御パターンテーブルの中から所定の上記押圧力を選択し、この所定の上記押圧力が上記印刷ドラムに加わるように上記押圧力可変手段を制御する押圧力可変制御手段とを有することを特徴とする。
【００１４】
請求項５記載の発明は、製版されたマスタを印刷ドラムの外周面に巻装し、上記印刷ドラム上の上記マスタにインキを供給し、押圧手段により上記印刷ドラムに対して印刷用紙を押し付けて印刷画像を上記印刷用紙上に形成する印刷装置において、上記印刷ドラムに対する上記押圧手段の押圧力を変化させるための押圧力可変手段と、上記印刷ドラムの内周面に上記インキを供給するインキローラとこのインキローラに近接して配置されたドクターローラとを具備し、上記印刷ドラム内に配設されたインキ供給手段と、上記インキローラと上記ドクターローラとの近接部における上記インキローラの回転方向下流側のインキ塗布面にインキ層を介して接触すべく配置されているインキ粘度検出ローラと、このインキ粘度検出ローラを一定の回転速度で回転するローラ駆動手段と、このローラ駆動手段に電力を供給する電源と、この電源から上記ローラ駆動手段に供給される電流値を検出する電流値検出手段とから構成され、上記電流値の変化を検出することによって上記インキの粘度を検出する粘度検出手段と、上記インキの種類を検出するインキ種類検出手段と、上記印刷装置の印刷速度は可変であり、該印刷速度を選択的に設定する印刷速度設定手段と、上記粘度検出手段により検出されたインキ粘度と上記インキ種類検出手段により検出されたインキ種類と上記印刷速度設定手段により設定された印刷速度とに応じて、予め設定された制御パターンテーブルの中から所定の上記押圧力を選択し、この所定の上記押圧力が上記印刷ドラムに加わるように上記押圧力可変手段を制御する押圧力可変制御手段とを有することを特徴とする。
【００１５】
請求項６記載の発明は、製版されたマスタを印刷ドラムの外周面に巻装し、上記印刷ドラム上の上記マスタにインキを供給し、押圧手段により上記印刷ドラムに対して印刷用紙を押し付けて印刷画像を上記印刷用紙上に形成する印刷装置において、上記印刷ドラムに対する上記押圧手段の押圧力を変化させるための押圧力可変手段と、上記印刷ドラムの内周面に上記インキを供給するインキローラとこのインキローラに近接して配置されたドクターローラとを具備し、上記印刷ドラム内に配設されたインキ供給手段と、上記インキローラと上記ドクターローラとの近接部における上記インキローラの回転方向下流側のインキ塗布面にインキ層を介して接触すべく配置されているインキ粘度検出ローラと、このインキ粘度検出ローラを一定の回転速度で回転するローラ駆動手段と、このローラ駆動手段に電力を供給する電源と、この電源から上記ローラ駆動手段に供給される電流値を検出する電流値検出手段とから構成され、上記電流値の変化を検出することによって上記インキの粘度を検出する粘度検出手段と、上記インキの種類を設定するインキ種類設定手段と、上記印刷装置の印刷速度は可変であり、該印刷速度を選択的に設定する印刷速度設定手段と、上記粘度検出手段により検出されたインキ粘度と上記インキ種類設定手段により設定されたインキ種類と上記印刷速度設定手段により設定された印刷速度とに応じて、予め設定された制御パターンテーブルの中から所定の上記押圧力を選択し、この所定の上記押圧力が上記印刷ドラムに加わるように上記押圧力可変手段を制御する押圧力可変制御手段とを有することを特徴とする。
【００１６】
請求項７記載の発明は、製版されたマスタを印刷ドラムの外周面に巻装し、上記印刷ドラム上の上記マスタにインキを供給し、押圧手段により上記印刷ドラムに対して印刷用紙を押し付けて印刷画像を上記印刷用紙上に形成する印刷装置において、上記印刷ドラムに対する上記押圧手段の押圧力を変化させるための押圧力可変手段と、上記印刷ドラムの内周面に上記インキを供給するインキローラとこのインキローラに近接して配置されたドクターローラとを具備し、上記印刷ドラム内に配設されたインキ供給手段と、上記インキローラと上記ドクターローラとの近接部における上記インキローラの回転方向下流側のインキ塗布面にインキ層を介して接触すべく配置されているインキ粘度検出ローラと、このインキ粘度検出ローラを一定の回転速度で回転するローラ駆動手段と、このローラ駆動手段に電力を供給する電源と、この電源により上記ローラ駆動手段に加えられる電圧値を検出する電圧値検出手段とから構成され、上記電圧値の変化を検出することによって上記インキの粘度を検出する粘度検出手段と、上記粘度検出手段により検出されたインキ粘度に応じて、予め設定された制御パターンテーブルの中から所定の上記押圧力を選択し、この選択された所定の上記押圧力が上記印刷ドラムに加わるように上記押圧力可変手段を制御する押圧力可変制御手段とを有することを特徴とする。
【００１７】
請求項８記載の発明は、製版されたマスタを印刷ドラムの外周面に巻装し、上記印刷ドラム上の上記マスタにインキを供給し、押圧手段により上記印刷ドラムに対して印刷用紙を押し付けて印刷画像を上記印刷用紙上に形成する印刷装置において、上記印刷ドラムに対する上記押圧手段の押圧力を変化させるための押圧力可変手段と、上記印刷ドラムの内周面に上記インキを供給するインキローラとこのインキローラに近接して配置されたドクターローラとを具備し、上記印刷ドラム内に配設されたインキ供給手段と、上記インキローラと上記ドクターローラとの近接部における上記インキローラの回転方向下流側のインキ塗布面にインキ層を介して接触すべく配置されているインキ粘度検出ローラと、このインキ粘度検出ローラを一定の回転速度で回転するローラ駆動手段と、このローラ駆動手段に電力を供給する電源と、この電源により上記ローラ駆動手段に加えられる電圧値を検出する電圧値検出手段とから構成され、上記電圧値の変化を検出することによって上記インキの粘度を検出する粘度検出手段と、上記インキの種類を検出するインキ種類検出手段と、上記粘度検出手段により検出されたインキ粘度と上記インキ種類検出手段により検出されたインキ種類とに応じて、予め設定された制御パターンテーブルの中から所定の上記押圧力を選択し、この所定の上記押圧力が上記印刷ドラムに加わるように上記押圧力可変手段を制御する押圧力可変制御手段とを有することを特徴とする。
【００１８】
請求項９記載の発明は、製版されたマスタを印刷ドラムの外周面に巻装し、上記印刷ドラム上の上記マスタにインキを供給し、押圧手段により上記印刷ドラムに対して印刷用紙を押し付けて印刷画像を上記印刷用紙上に形成する印刷装置において、上記印刷ドラムに対する上記押圧手段の押圧力を変化させるための押圧力可変手段と、上記印刷ドラムの内周面に上記インキを供給するインキローラとこのインキローラに近接して配置されたドクターローラとを具備し、上記印刷ドラム内に配設されたインキ供給手段と、上記インキローラと上記ドクターローラとの近接部における上記インキローラの回転方向下流側のインキ塗布面にインキ層を介して接触すべく配置されているインキ粘度検出ローラと、このインキ粘度検出ローラを一定の回転速度で回転するローラ駆動手段と、このローラ駆動手段に電力を供給する電源と、この電源により上記ローラ駆動手段に加えられる電圧値を検出する電圧値検出手段とから構成され、上記電圧値の変化を検出することによって上記インキの粘度を検出する粘度検出手段と、上記インキの種類を設定するインキ種類設定手段と、上記粘度検出手段により検出されたインキ粘度と上記インキ種類設定手段により設定されたインキ種類とに応じて、予め設定された制御パターンテーブルの中から所定の上記押圧力を選択し、この所定の上記押圧力が上記印刷ドラムに加わるように上記押圧力可変手段を制御する押圧力可変制御手段とを有することを特徴とする。
【００１９】
請求項１０記載の発明は、製版されたマスタを印刷ドラムの外周面に巻装し、上記印刷ドラム上の上記マスタにインキを供給し、押圧手段により上記印刷ドラムに対して印刷用紙を押し付けて印刷画像を上記印刷用紙上に形成する印刷装置において、上記印刷ドラムに対する上記押圧手段の押圧力を変化させるための押圧力可変手段と、上記印刷ドラムの内周面に上記インキを供給するインキローラとこのインキローラに近接して配置されたドクターローラとを具備し、上記印刷ドラム内に配設されたインキ供給手段と、上記インキローラと上記ドクターローラとの近接部における上記インキローラの回転方向下流側のインキ塗布面にインキ層を介して接触すべく配置されているインキ粘度検出ローラと、このインキ粘度検出ローラを一定の回転速度で回転するローラ駆動手段と、このローラ駆動手段に電力を供給する電源と、この電源により上記ローラ駆動手段に加えられる電圧値を検出する電圧値検出手段とから構成され、上記電圧値の変化を検出することによって上記インキの粘度を検出する粘度検出手段と、上記印刷装置の印刷速度は可変であり、該印刷速度を選択的に設定する印刷速度設定手段と、上記粘度検出手段により検出されたインキ粘度と上記印刷速度設定手段により設定された印刷速度とに応じて、予め設定された制御パターンテーブルの中から所定の上記押圧力を選択し、この所定の上記押圧力が上記印刷ドラムに加わるように上記押圧力可変手段を制御する押圧力可変制御手段とを有することを特徴とする。
【００２０】
請求項１１記載の発明は、製版されたマスタを印刷ドラムの外周面に巻装し、上記印刷ドラム上の上記マスタにインキを供給し、押圧手段により上記印刷ドラムに対して印刷用紙を押し付けて印刷画像を上記印刷用紙上に形成する印刷装置において、上記印刷ドラムに対する上記押圧手段の押圧力を変化させるための押圧力可変手段と、上記印刷ドラムの内周面に上記インキを供給するインキローラとこのインキローラに近接して配置されたドクターローラとを具備し、上記印刷ドラム内に配設されたインキ供給手段と、上記インキローラと上記ドクターローラとの近接部における上記インキローラの回転方向下流側のインキ塗布面にインキ層を介して接触すべく配置されているインキ粘度検出ローラと、このインキ粘度検出ローラを一定の回転速度で回転するローラ駆動手段と、このローラ駆動手段に電力を供給する電源と、この電源により上記ローラ駆動手段に加えられる電圧値を検出する電圧値検出手段とから構成され、上記電圧値の変化を検出することによって上記インキの粘度を検出する粘度検出手段と、上記インキの種類を検出するインキ種類検出手段と、上記印刷装置の印刷速度は可変であり、該印刷速度を選択的に設定する印刷速度設定手段と、上記粘度検出手段により検出されたインキ粘度と上記インキ種類検出手段により検出されたインキ種類と上記印刷速度設定手段により設定された印刷速度とに応じて、予め設定された制御パターンテーブルの中から所定の上記押圧力を選択し、この所定の上記押圧力が上記印刷ドラムに加わるように上記押圧力可変手段を制御する押圧力可変制御手段とを有することを特徴とする。
【００２１】
請求項１２記載の発明は、製版されたマスタを印刷ドラムの外周面に巻装し、上記印刷ドラム上の上記マスタにインキを供給し、押圧手段により上記印刷ドラムに対して印刷用紙を押し付けて印刷画像を上記印刷用紙上に形成する印刷装置において、上記印刷ドラムに対する上記押圧手段の押圧力を変化させるための押圧力可変手段と、上記印刷ドラムの内周面に上記インキを供給するインキローラとこのインキローラに近接して配置されたドクターローラとを具備し、上記印刷ドラム内に配設されたインキ供給手段と、上記インキローラと上記ドクターローラとの近接部における上記インキローラの回転方向下流側のインキ塗布面にインキ層を介して接触すべく配置されているインキ粘度検出ローラと、このインキ粘度検出ローラを一定の回転速度で回転するローラ駆動手段と、このローラ駆動手段に電力を供給する電源と、この電源により上記ローラ駆動手段に加えられる電圧値を検出する電圧値検出手段とから構成され、上記電圧値の変化を検出することによって上記インキの粘度を検出する粘度検出手段と、上記インキの種類を設定するインキ種類設定手段と、上記印刷装置の印刷速度は可変であり、該印刷速度を選択的に設定する印刷速度設定手段と、上記粘度検出手段により検出されたインキ粘度と上記インキ種類設定手段により設定されたインキ種類と上記印刷速度設定手段により設定された印刷速度とに応じて、予め設定された制御パターンテーブルの中から所定の上記押圧力を選択し、この所定の上記押圧力が上記印刷ドラムに加わるように上記押圧力可変手段を制御する押圧力可変制御手段とを有することを特徴とする。
【００２２】
請求項１３記載の発明は、製版されたマスタを印刷ドラムの外周面に巻装し、上記印刷ドラム上の上記マスタにインキを供給し、押圧手段により上記印刷ドラムに対して印刷用紙を押し付けて印刷画像を上記印刷用紙上に形成する印刷装置において、上記印刷ドラムに対する上記押圧手段の押圧力を変化させるための押圧力可変手段と、上記印刷ドラムの内周面に上記インキを供給するインキローラとこのインキローラに近接して配置されたドクターローラとを具備し、上記印刷ドラム内に配設されたインキ供給手段と、上記インキローラと上記ドクターローラとの近接部における上記インキローラの回転方向下流側のインキ塗布面にインキ層を介して接触すべく配置されているインキ粘度検出ローラと、このインキ粘度検出ローラを一定のトルクで回転するローラ駆動手段と、このローラ駆動手段をして一定の上記トルクで回転駆動させる定電流を供給する定電流電源と、上記インキ粘度検出ローラの回転速度を検出するローラ速度検出手段とから構成され、上記インキ粘度検出ローラの回転速度の変化を検出することによって上記インキの粘度を検出する粘度検出手段と、上記粘度検出手段により検出されたインキ粘度に応じて、予め設定された制御パターンテーブルの中から所定の上記押圧力を選択し、この選択された所定の上記押圧力が上記印刷ドラムに加わるように上記押圧力可変手段を制御する押圧力可変制御手段とを有することを特徴とする。
【００２３】
請求項１４記載の発明は、製版されたマスタを印刷ドラムの外周面に巻装し、上記印刷ドラム上の上記マスタにインキを供給し、押圧手段により上記印刷ドラムに対して印刷用紙を押し付けて印刷画像を上記印刷用紙上に形成する印刷装置において、上記印刷ドラムに対する上記押圧手段の押圧力を変化させるための押圧力可変手段と、上記印刷ドラムの内周面に上記インキを供給するインキローラとこのインキローラに近接して配置されたドクターローラとを具備し、上記印刷ドラム内に配設されたインキ供給手段と、上記インキローラと上記ドクターローラとの近接部における上記インキローラの回転方向下流側のインキ塗布面にインキ層を介して接触すべく配置されているインキ粘度検出ローラと、このインキ粘度検出ローラを一定のトルクで回転するローラ駆動手段と、このローラ駆動手段をして一定の上記トルクで回転駆動させる定電流を供給する定電流電源と、上記インキ粘度検出ローラの回転速度を検出するローラ速度検出手段とから構成され、上記インキ粘度検出ローラの回転速度の変化を検出することによって上記インキの粘度を検出する粘度検出手段と、上記インキの種類を検出するインキ種類検出手段と、上記粘度検出手段により検出されたインキ粘度と上記インキ種類検出手段により検出されたインキ種類とに応じて、予め設定された制御パターンテーブルの中から所定の上記押圧力を選択し、この所定の上記押圧力が上記印刷ドラムに加わるように上記押圧力可変手段を制御する押圧力可変制御手段とを有することを特徴とする。
【００２４】
請求項１５記載の発明は、製版されたマスタを印刷ドラムの外周面に巻装し、上記印刷ドラム上の上記マスタにインキを供給し、押圧手段により上記印刷ドラムに対して印刷用紙を押し付けて印刷画像を上記印刷用紙上に形成する印刷装置において、上記印刷ドラムに対する上記押圧手段の押圧力を変化させるための押圧力可変手段と、上記印刷ドラムの内周面に上記インキを供給するインキローラとこのインキローラに近接して配置されたドクターローラとを具備し、上記印刷ドラム内に配設されたインキ供給手段と、上記インキローラと上記ドクターローラとの近接部における上記インキローラの回転方向下流側のインキ塗布面にインキ層を介して接触すべく配置されているインキ粘度検出ローラと、このインキ粘度検出ローラを一定のトルクで回転するローラ駆動手段と、このローラ駆動手段をして一定の上記トルクで回転駆動させる定電流を供給する定電流電源と、上記インキ粘度検出ローラの回転速度を検出するローラ速度検出手段とから構成され、上記インキ粘度検出ローラの回転速度の変化を検出することによって上記インキの粘度を検出する粘度検出手段と、上記インキの種類を設定するインキ種類設定手段と、上記粘度検出手段により検出されたインキ粘度と上記インキ種類設定手段により設定されたインキ種類とに応じて、予め設定された制御パターンテーブルの中から所定の上記押圧力を選択し、この所定の上記押圧力が上記印刷ドラムに加わるように上記押圧力可変手段を制御する押圧力可変制御手段とを有することを特徴とする。
【００２５】
請求項１６記載の発明は、製版されたマスタを印刷ドラムの外周面に巻装し、上記印刷ドラム上の上記マスタにインキを供給し、押圧手段により上記印刷ドラムに対して印刷用紙を押し付けて印刷画像を上記印刷用紙上に形成する印刷装置において、上記印刷ドラムに対する上記押圧手段の押圧力を変化させるための押圧力可変手段と、上記印刷ドラムの内周面に上記インキを供給するインキローラとこのインキローラに近接して配置されたドクターローラとを具備し、上記印刷ドラム内に配設されたインキ供給手段と、上記インキローラと上記ドクターローラとの近接部における上記インキローラの回転方向下流側のインキ塗布面にインキ層を介して接触すべく配置されているインキ粘度検出ローラと、このインキ粘度検出ローラを一定のトルクで回転するローラ駆動手段と、このローラ駆動手段をして一定の上記トルクで回転駆動させる定電流を供給する定電流電源と、上記インキ粘度検出ローラの回転速度を検出するローラ速度検出手段とから構成され、上記インキ粘度検出ローラの回転速度の変化を検出することによって上記インキの粘度を検出する粘度検出手段と、上記印刷装置の印刷速度は可変であり、該印刷速度を選択的に設定する印刷速度設定手段と、上記粘度検出手段により検出されたインキ粘度と上記印刷速度設定手段により設定された印刷速度とに応じて、予め設定された制御パターンテーブルの中から所定の上記押圧力を選択し、この所定の上記押圧力が上記印刷ドラムに加わるように上記押圧力可変手段を制御する押圧力可変制御手段とを有することを特徴とする。
【００２６】
請求項１７記載の発明は、製版されたマスタを印刷ドラムの外周面に巻装し、上記印刷ドラム上の上記マスタにインキを供給し、押圧手段により上記印刷ドラムに対して印刷用紙を押し付けて印刷画像を上記印刷用紙上に形成する印刷装置において、上記印刷ドラムに対する上記押圧手段の押圧力を変化させるための押圧力可変手段と、上記印刷ドラムの内周面に上記インキを供給するインキローラとこのインキローラに近接して配置されたドクターローラとを具備し、上記印刷ドラム内に配設されたインキ供給手段と、上記インキローラと上記ドクターローラとの近接部における上記インキローラの回転方向下流側のインキ塗布面にインキ層を介して接触すべく配置されているインキ粘度検出ローラと、このインキ粘度検出ローラを一定のトルクで回転するローラ駆動手段と、このローラ駆動手段をして一定の上記トルクで回転駆動させる定電流を供給する定電流電源と、上記インキ粘度検出ローラの回転速度を検出するローラ速度検出手段とから構成され、上記インキ粘度検出ローラの回転速度の変化を検出することによって上記インキの粘度を検出する粘度検出手段と、上記インキの種類を検出するインキ種類検出手段と、上記印刷装置の印刷速度は可変であり、該印刷速度を選択的に設定する印刷速度設定手段と、上記粘度検出手段により検出されたインキ粘度と上記インキ種類検出手段により検出されたインキ種類と上記印刷速度設定手段により設定された印刷速度とに応じて、予め設定された制御パターンテーブルの中から所定の上記押圧力を選択し、この所定の上記押圧力が上記印刷ドラムに加わるように上記押圧力可変手段を制御する押圧力可変制御手段とを有することを特徴とする。
【００２７】
請求項１８記載の発明は、製版されたマスタを印刷ドラムの外周面に巻装し、上記印刷ドラム上の上記マスタにインキを供給し、押圧手段により上記印刷ドラムに対して印刷用紙を押し付けて印刷画像を上記印刷用紙上に形成する印刷装置において、上記印刷ドラムに対する上記押圧手段の押圧力を変化させるための押圧力可変手段と、上記印刷ドラムの内周面に上記インキを供給するインキローラとこのインキローラに近接して配置されたドクターローラとを具備し、上記印刷ドラム内に配設されたインキ供給手段と、上記インキローラと上記ドクターローラとの近接部における上記インキローラの回転方向下流側のインキ塗布面にインキ層を介して接触すべく配置されているインキ粘度検出ローラと、このインキ粘度検出ローラを一定のトルクで回転するローラ駆動手段と、このローラ駆動手段をして一定の上記トルクで回転駆動させる定電流を供給する定電流電源と、上記インキ粘度検出ローラの回転速度を検出するローラ速度検出手段とから構成され、上記インキ粘度検出ローラの回転速度の変化を検出することによって上記インキの粘度を検出する粘度検出手段と、上記インキの種類を設定するインキ種類設定手段と、上記印刷装置の印刷速度は可変であり、該印刷速度を選択的に設定する印刷速度設定手段と、上記粘度検出手段により検出されたインキ粘度と上記インキ種類設定手段により設定されたインキ種類と上記印刷速度設定手段により設定された印刷速度とに応じて、予め設定された制御パターンテーブルの中から所定の上記押圧力を選択し、この所定の上記押圧力が上記印刷ドラムに加わるように上記押圧力可変手段を制御する押圧力可変制御手段とを有することを特徴とする。
【００２８】
請求項１９記載の発明は、請求項１３乃至１８の何れか一つに記載の印刷装置において、上記ローラ速度検出手段は、上記インキ粘度検出ローラに配設されたエンコーダと、該エンコーダに近接して配置され該エンコーダと協働してパルスを発生するパルス発生器とを有し、上記パルス発生器から発生する上記パルスの変化に基づいて上記インキの粘度を検出することを特徴とする。
【００３２】
請求項２０記載の発明は、請求項１乃至１９の何れか一つに記載の印刷装置において、上記押圧手段が、プレスローラであることを特徴とする。
【００３３】
請求項２１記載の発明は、請求項１乃至１９の何れか一つに記載の印刷装置において、上記押圧手段が、上記印刷ドラムの外周面と略同径の圧胴であることを特徴とする。
【００３４】
請求項２２記載の発明は、印刷ドラムの内周面にインキを供給するインキローラとこのインキローラに近接して配置されたドクターローラとの近接部における上記インキローラの回転方向下流側のインキ塗布面にインキ層を介して接触すべく配置されたインキ粘度検出ローラと、このインキ粘度検出ローラを一定の回転速度で回転するローラ駆動手段と、このローラ駆動手段に電力を供給する電源と、この電源から上記ローラ駆動手段に供給される電流値を検出する電流値検出手段とを有するインキ粘度検出装置であって、上記電流値の変化を検出することによって上記インキの粘度を検出することを特徴とする。
【００３５】
請求項２３記載の発明は、印刷ドラムの内周面にインキを供給するインキローラとこのインキローラに近接して配置されたドクターローラとの近接部における上記インキローラの回転方向下流側のインキ塗布面にインキ層を介して接触すべく配置されたインキ粘度検出ローラと、このインキ粘度検出ローラを一定の回転速度で回転するローラ駆動手段と、このローラ駆動手段に電力を供給する電源と、この電源により上記ローラ駆動手段に加えられる電圧値を検出する電圧値検出手段とを有するインキ粘度検出装置であって、上記電圧値の変化を検出することによって上記インキの粘度を検出することを特徴とする。
【００３６】
請求項２４記載の発明は、印刷ドラムの内周面にインキを供給するインキローラとこのインキローラに近接して配置されたドクターローラとの近接部における上記インキローラの回転方向下流側のインキ塗布面にインキ層を介して接触すべく配置されたインキ粘度検出ローラと、このインキ粘度検出ローラを一定のトルクで回転するローラ駆動手段と、このローラ駆動手段をして一定の上記トルクで回転駆動させる定電流を供給する定電流電源と、上記インキ粘度検出ローラの回転速度を検出するローラ速度検出手段とを有するインキ粘度検出装置であって、上記インキ粘度検出ローラの回転速度の変化を検出することによって上記インキの粘度を検出することを特徴とする。
【００３７】
請求項２５記載の発明は、請求項２４記載のインキ粘度検出装置において、上記ローラ速度検出手段は、上記インキ粘度検出ローラに配設されたエンコーダと、該エンコーダに近接して配置され該エンコーダと協働してパルスを発生するパルス発生器とを有し、上記パルス発生器から発生する上記パルスの変化に基づいて上記インキの粘度を検出することを特徴とする。
【００４０】
【実施例】
以下、添付図面を参照して本発明の実施例について詳述する。なお、各図において、図面の簡明化を図るため各構成部品を適宜省略する。また、図において一対で構成されていて特別に区別して説明する必要がない構成部品は、説明の簡明化を図る上から、その片方を適宜記載することでその説明に代えるものとする。構成部品の形状及びその配置位置を説明する際において、用紙搬送方向の下流側を「前」とその上流側を「後」というときがあり、また用紙搬送方向から見て用紙幅方向の左側を「左」（紙面の手前側でもある）と、用紙幅方向の右側を「右」（紙面の奥側でもある）というときがある。以下説明する各実施例及び変形例等に亘り同一の形状及び機能を有する構成部品等については、同一の符号を付すことによりその説明をできるだけ省略する。
【００４１】
図１８は、本発明を適用する感熱デジタル製版式の孔版印刷装置の全体構成を示しており、まず、この孔版印刷装置の全体構成と孔版印刷プロセスとについて簡単に説明する。
図１８において、符号５０は、本体フレームを示す。本体フレーム５０は、同図の紙面手前側及び紙面奥側の左右両側に対をなして対向配置されていて、図１等においてはその厚さを誇張して示す。図１８に示すように、本体フレーム５０の上部にある、符号８０で示す部分は原稿読取部を構成し、その下方の符号９０で示す部分は製版・給版部、同図における製版・給版部９０の左側に符号１０１で示す部分は多孔性円筒状の印刷ドラム、同図における印刷ドラム１０１の左側に符号７０で示す部分は排版部、製版・給版部９０の下方の符号１１０で示す部分は給紙部、印刷ドラム１０１の下方の符号１００で示す部分は印圧部、同図における印圧部１００の左側であって排版部７０の下方の符号５５で示す部分は排紙部を、それぞれ示している。
【００４２】
次に、この孔版印刷装置の動作について、その概略構成を含めて図３及び図１８を参照しながら以下に説明する。
先ず、オペレータが、原稿読取部８０の上部に配置された原稿受け台（図示せず）に印刷すべき画像を持った原稿６０をセットし、図３のみに示す操作パネル４０の製版スタートキー４４を押下すると、排版工程が実行される。すなわち、印刷ドラム１０１が図中矢印方向Ａと反対方向に回転し、印刷ドラム１０１の外周面に装着されていた使用済みのマスタ６１の後端部が排版部７０の排版剥離ローラ対７１ａ，７１ｂに近づくと、同ローラ対７１ａ，７１ｂは回転しつつ一方の排版剥離ローラ７１ｂで使用済みのマスタ６１の後端部をすくい上げ、排版剥離ローラ対７１ａ，７１ｂの左方に配設された排版コロ対７３ａ，７３ｂと排版剥離ローラ対７１ａ，７１ｂとの間に掛け渡された排版搬送ベルト対７２ａ，７２ｂで構成される排版剥離搬送装置により、使用済みのマスタ６１は印刷ドラム１０１の外周面から漸次剥され搬送されつつ排版ボックス７４内へ排出されていわゆる排版が終了する。このとき印刷ドラム１０１は反時計回り方向への回転を続けている。排出された使用済みのマスタ６１は、その後、圧縮板（図示せず）によって排版ボックス７４の内部で圧縮される。
【００４３】
排版工程と並行して、原稿読取部８０が作動して原稿読み取りが行われる。この原稿読み取りに係る詳細な構成及び動作は、公知の「縮小式の原稿読取方式」で行われるようになっており、その画像が読み取られた原稿６０は、原稿トレイ（図示せず）上に排出される。すなわち、原稿６０の画像読み取りは、コンタクトガラス（図示せず）上を搬送させつつ蛍光灯８１により照明された原稿６０の表面からの反射光を、ミラー群８２で反射させレンズ８３を通して、ＣＣＤ（光電変換素子）等からなる画像センサ８４に入射させることにより行われる。画像センサ８４で光電変換された電気信号は、本体フレーム５０内の図示しないアナログ／デジタル（Ａ／Ｄ）変換基板に送信されることによりデジタル画像信号に変換される。
【００４４】
なお、原稿読取部８０には、多色重ね刷り印刷に必要な色分解のための諸機能を有する構成、例えば特開昭６４−１８６８２号公報記載の複数の色フィルターを切換可能に制御できるフィルターユニットと同様の機能及び構成を有するものが、ミラー群８２とレンズ８３との間の光路上に配設されていて、同公報記載と同様の自動製版・給版等の動作を行うようになっており、その詳しい説明は省略する。
【００４５】
一方、このような原稿走査及び画像読み取り動作と並行して、デジタル信号化された画像情報に基づき製版・給版工程が行われる。芯管６１ａの周りにロール状に巻かれたマスタロール６１ｂの芯管６１ａが、製版・給版部９０に配設された回転支持部材（図示せず）により回転自在に支持されていて、マスタ６１がマスタロール６１ｂから引き出され、マスタ６１を介してサーマルヘッド９１に押し付けられているプラテンローラ９２及び送りローラ対９３ａ，９３ｂの一定速度の回転により、マスタ６１がマスタ搬送路の下流側に搬送される。このように搬送されるマスタ６１に対して、サーマルヘッド９１の主走査方向に一列に配列された多数の微小な発熱素子が、上記Ａ／Ｄ変換基板及びその後の図示しない製版制御基板で各種処理を施されて送られてくるデジタル画像信号に応じて各々選択的に発熱し、発熱した発熱素子に接触しているマスタ６１の熱可塑性樹脂フィルムが溶融穿孔される。このようにして、画像情報に応じたマスタ６１の位置選択的な溶融穿孔により、画像情報が穿孔パターンとして書き込まれる。
【００４６】
画像情報が書き込まれて製版された製版済マスタ６１ｃの先端は、給版ローラ対９４ａ，９４ｂにより印刷ドラム１０１の外周部側へ向かって送り出され、ガイド板９６により進行方向を下方へ変えられ、図示していない給版位置状態にある印刷ドラム１０１の拡開したマスタクランパ１０２へ向かって垂れ下がる。このとき印刷ドラム１０１は、排版工程により使用済みのマスタ６１を既に除去されている。
【００４７】
そして、製版済マスタ６１ｃの先端が、一定のタイミングでマスタクランパ１０２によりクランプされると、印刷ドラム１０１は図中矢印Ａ方向（時計回り方向）に回転しつつ外周面に製版済マスタ６１ｃを徐々に巻き付けていく。製版済マスタ６１ｃの後端部は、製版完了後にカッタ９５により一定の長さに切断されて、一版の製版済マスタ６１ｃが印刷ドラム１０１の外周面に完全に巻装されるといわゆる給版が終了する。
【００４８】
一版の製版済マスタ６１ｃが印刷ドラム１０１の外周面に巻装されると製版・給版工程が終了し、印刷工程が開始される。先ず、給紙台５１上に積載された印刷用紙６２の内の最上位の１枚が、給紙コロ１１１及び分離コロ対１１２ａ，１１２ｂによりレジストローラ対１１３ａ，１１３ｂに向けて図中矢印で示す用紙搬送方向Ｘに給送され、さらにレジストローラ対１１３ａ，１１３ｂにより印刷ドラム１０１の回転と同期した所定のタイミングで印圧部１００における印刷ドラム１０１とプレスローラ１０３との間に給送される。このプレスローラ１０３は、後述するプレスローラ変位手段により印刷ドラム１０１の外周面に接離自在になされており、外周面に製版済マスタ６１ｃが巻装された印刷ドラム１０１に対して給送されてきた印刷用紙６２を押し付けて印刷画像を印刷用紙６２上に形成する押圧手段としての機能を有する。そして、給送されてきた印刷用紙６２が、印刷ドラム１０１とプレスローラ１０３との間に挿入されてくると、印刷ドラム１０１の外周面下方に離間していたプレスローラ１０３が揺動・上昇されることにより、印刷ドラム１０１の外周面に巻装されている製版済マスタ６１ｃに押し付けられる。こうして、印刷ドラム１０１の多孔部から滲み出たインキの粘性による付着力によって、製版済マスタ６１ｃが印刷ドラム１０１の外周面上に密着すると同時に、さらに製版済マスタ６１ｃの穿孔パターン部からインキが滲み出し、この滲み出たインキが印刷用紙６２の表面に転移されて、印刷画像が形成される。
【００４９】
このとき、印刷ドラム１０１の内周側では、インキ供給ディストリビュータ１２３からインキローラ１２０とドクターローラ１２１との間に形成されたインキ溜り１２２にインキが供給され、印刷ドラム１０１の回転方向と同一方向に、かつ、印刷ドラム１０１の回転速度と同期して回転しながら内周面に転接するインキローラ１２０により、インキが印刷ドラム１０１の内周側に供給される。
【００５０】
印圧部１００において印刷画像が形成された印刷用紙６２は、排紙剥離爪１１４により印刷ドラム１０１から剥がされ、吸引用ファン１１８に吸引されつつ、吸着排紙入口ローラ１１５及び吸着排紙出口ローラ１１６に掛け渡された搬送ベルト１１７に吸着され、この搬送ベルト１１７の反時計回り方向の回転により、用紙搬送方向Ｘの下流側における排紙部５５へ向かって搬送され、排紙台５２上に順次排出積載される。このようにしていわゆる「版付け」、あるいは「試し刷り」が終了する。
【００５１】
次に、図３に示す操作パネル４０のテンキー４２で印刷枚数を設定し、図３に示す印刷スタートキー４５を押下すると上記試し刷りと同様の工程で、給紙、印刷及び排紙の各工程が設定した印刷枚数分繰り返して行なわれ、孔版印刷の全工程が終了する。
【００５２】
（実施例１）
図１乃至図１３及び図１８を参照して、本発明の第１の実施例（以下、「実施例１」という）について説明する。
本実施例１による孔版印刷装置は、図１において、押圧手段としてのプレスローラ１０３を、印刷ドラム１０１の外周面に押圧する印圧位置と、この印圧位置から離間した非印圧位置とに選択的に変位させるプレスローラ変位手段２２と、印刷ドラム１０１に対するプレスローラ１０３の押圧力（以下、「印圧」というときがある）を変化させるための押圧力可変手段２０と、インキの粘度を検出する粘度検出手段２１と、インキの種類を検出するインキ種類検出手段（図４に示す）と、孔版印刷装置の印刷速度を選択的に設定する印刷速度設定手段（図３に示す）と、粘度検出手段２１により検出されたインキ粘度と上記インキ種類検出手段により検出されたインキ種類と上記印刷速度設定手段により設定された印刷速度とに応じて、予め設定された制御パターンテーブルの中から所定の押圧力を選択し、この所定の押圧力が印刷ドラム１０１に加わるように押圧力可変手段２０を制御する押圧力可変制御手段１３０（図７に示す）とから主に構成されている。以下、順次上記各構成を説明する。
【００５３】
プレスローラ１０３は、その内周部が芯金で、外周部がゴム等の弾性体でそれぞれ形成されており、印刷ドラム１０１の軸線方向と平行に延在して設けられていて、上記芯金の両端にはローラ軸１０３ａが一体的にそれぞれ形成されている周知の構造をなす。
プレスローラ変位手段２２は、左右両側のローラ軸１０３ａと略平行に延在して設けられ、その両端部が左右一対の本体フレーム５０に所定角度回動可能に支持された水平軸３と、その自由端が水平軸３の周りに揺動可能であってプレスローラ１０３のローラ軸１０３ａの両端を回転可能に支持し、かつ、その基端が水平軸３の両端部近傍において所定角度回動可能に支持されている左右一対のアーム左２ｂ及びアーム右２ａと、プレスローラ１０３と水平軸３との略中央部におけるアーム対左・右２ｂ，２ａに挿通されアーム対左・右２ｂ，２ａを互いに連結する中間連結ステー１と、その基端が水平軸３の中央部に固設されその自由端が中間連結ステー１の中央部をわずかな隙間をもって挾持し、水平軸３における所定角度の回動を中間連結ステー１に伝達する上下作動アーム４と、その基端部が左側の本体フレーム５０における水平軸３端に一体的に取り付けられその自由端部が水平軸３の周りに揺動可能なカムフォロア５ａを有するスプリング取付けアーム５と、このスプリング取付けアーム５の上記自由端部にその一端が掛止され印刷ドラム１０１の外周面にプレスローラ１０３を押し付ける向きにスプリング取付けアーム５を揺動付勢するスプリング６（引張りコイルバネ）と、左側の本体フレーム５０にカム軸１８ａをもって回転自在に支持されスプリング取付けアーム５のカムフォロア５ａに選択的に係合する印圧カム１８とから主に構成される。上記したように、中間連結ステー１と上下作動アーム４との間に上記のわずかな隙間が設けられていることによって、印圧が掛かったときのプレスローラ１０３の左右バランスを調整することが可能な機構となっており、プレスローラ変位手段２２は、いわゆる「やじろべえの原理」を利用しているものである。
【００５４】
中間連結ステー１は、断面中空状角形に形成された金属でできている。中間連結ステー１は、アーム対左・右２ｂ，２ａに挿通された後、アーム対左・右２ｂ，２ａの外壁面に近接する部位において図示を省略した抜け止め用のピンが打ち込まれることで、用紙幅方向Ｙの左右に対する抜け止めがなされる。印圧カム１８は、カム軸１８ａをもって、左側の本体フレーム５０に回動自在に支持されている。
【００５５】
スプリング取付けアーム５は、三角形の板状をなし、印圧カム１８の輪郭周面にカムフォロア５ａを介して選択的に係合するようになっている。上下作動アーム４と水平軸３とは、図示を省略した固定ピンが圧入装着されることにより一体的に固定されている。
【００５６】
図２において、符号１５０は、印刷ドラム１０１を回転させると共に、上記印圧位置と上記非印圧位置とにプレスローラ１０３を印刷ドラム１０１の回転に同期させて揺動・変位させるプレスローラ駆動手段を示す。プレスローラ駆動手段１５０は、図２にのみ示すように、印刷ドラム１０１及びプレスローラ１０３をそれぞれ回転駆動及び揺動するための、左側の本体フレーム５０に固設された正転及び逆転可能なメインモータ１５１と、このメインモータ１５１とカム軸１８ａとの間に介装された減速手段１５２と、装置内に装着された印刷ドラム１０１とカム軸１８ａとの間に介装された同期手段１５７とから主に構成される。
【００５７】
減速手段１５２は、メインモータ１５１の出力軸１５１ａ端部に取付けられた歯付きの駆動プーリ１５１ｂと、左側の本体フレーム５０にプーリ軸１５３ａをもって回転自在に支持された歯付きのプーリ１５３と、駆動プーリ１５１ｂとプーリ１５３との間に掛け渡された歯付きのベルト１５５と、プーリ１５３のプーリ軸１５３ａと同軸に取付けられた小径ギヤ１５４と、カム軸１８ａと同軸に取付けられ小径ギヤ１５４と噛合する大径ギヤ１５６とから構成される。
【００５８】
同期手段１５７は、印圧カム１８と大径ギヤ１５６との間のカム軸１８ａ上に取付けられた歯付きの下プーリ１５８と、左側の本体フレーム５０にプーリ軸１６０ａをもって回動自在に支持された歯付きの上プーリ１６０と、下プーリ１５８と上プーリ１６０との間に掛け渡された歯付きのメインベルト１５９と、プーリ軸１６０ａの端部に取付けられた脱着ギヤ１６１とから主に構成される。
【００５９】
下プーリ１５８と上プーリ１６０とは、同径の歯付きの外周部を有していて、それぞれの回転比が１：１となるようにメインベルト１５９で連結され回動されるようになっている。印圧カム１８は、装置の組立て時において、印刷ドラム１０１の開孔範囲である印刷部位に対応した印圧範囲とプレスローラ１０３の上記印圧位置とを考慮して、印刷ドラム１０１の回転とのタイミングを取ってカム軸１８ａに固定されている。一方、印刷ドラム１０１の左端部と後述する後フレーム１０１Ａとの間の支軸１０４上には、脱着ギヤ１６１と選択的に噛合し脱着ギヤ１６１と同歯数を有するドラムギヤ１６２が一体的に固設されている。
【００６０】
一方、メインモータ１５１の出力軸１５１ａには、周知のフォトロータリエンコーダからなるスリット円板１６３が取付けられている。スリット円板１６３近傍の左側の本体フレーム５０には、スリット円板１６３を所定の間隔をもって挾み付けるフォトインタラプタからなるセンサ１６４が配設されている。メインモータ１５１の回転駆動によるスリット円板１６３の回転動作に協働して発生された所定のパルスをセンサ１６４で検出することにより、印刷ドラム１０１の回転速度が検出されるようになっている。これにより、メインモータ１５１を介して印刷ドラム１０１の回転速度の制御がなされるようになっている。メインベルト１５９の略中央部に近接した左側の本体フレーム５０には、この本体フレーム５０に移動可能かつ回動自在に支持されたテンションローラ１６５が設けられていて、このテンションローラ１６５は、メインベルト１５９の略中央部に圧接するようになっている。
【００６１】
ここで、プレスローラ駆動手段１５０の動作を前もって簡単に述べておく。まず、メインモータ１５１が回転駆動されることにより、駆動プーリ１５１ｂと減速手段１５２のベルト１５５を介してプーリ１５３及び小径ギヤ１５４と、大径ギヤ１５６とがそれぞれこの順に減速・回転される。そして、大径ギヤ１５６の回転と共に印圧カム１８及び同期手段１５７の下プーリ１５８が回転され、さらにメインベルト１５９を介して脱着ギヤ１６１が回転され、これによりドラムギヤ１６２が回転される。上記したように、下プーリ１５８と上プーリ１６０との、脱着ギヤ１６１とドラムギヤ１６２との各々の回転比が、１：１であることにより、印圧カム１８と印刷ドラム１０１とは、１：１の回転比で同期して回転されることになり、結局、プレスローラ駆動手段１５０の駆動によって、印刷ドラム１０１が回転されると共に、印圧カム１８の大径部とカムフォロア５ａとの選択的な係合を介して、プレスローラ１０３が上記印圧位置と上記非印圧位置とに印刷ドラム１０１の上記回転動作に同期して揺動・変位される。
【００６２】
押圧力可変手段２０は、左側の本体フレーム５０に図示しない部材を介して固設されその出力軸にウォーム１５が取付けられた正転及び逆転可能な印圧制御モータ１４と、スプリング６の他端が掛止されていて、かつ、左側の本体フレーム５０に形成された溝（図示せず）を介して用紙搬送方向Ｘの前後方向にのみ進退自在に支持されその内周部にメネジが形成された可動軸７と、可動軸７のメネジと螺合するオネジがその外周部に形成され回転自在な回転軸１０と、この回転軸１０に固設されウォーム１５と常時噛合するウォームホイール１１と、回転軸１０の一端に固設された、ウォームホイール１１の回転数を検出する回転数検出センサ１２（以下、単に「エンコーダ１２」というときがある）と、左側の本体フレーム５０の所定位置に図示しない部材を介して支持されエンコーダ１２を所定の間隔をもって挾み付けるパルス検知センサ１３と、可動軸７の外周部から突出形成された遮蔽板８と、左側の本体フレーム５０の所定位置に図示しない部材を介して支持されていて、所定の間隔をもって遮蔽板８を挾み付けてエンコーダ１２のホームポジション（印圧標準状態を示す位置）を検知するためのフォトセンサ９とから主に構成される。
【００６３】
エンコーダ１２は、スリット円板を有して構成されている周知のフォトエンコーダであり、エンコーダ１２及びパルス検知センサ１３の協働により、ウォームホイール１１の回転数、すなわち用紙搬送方向Ｘの前後における可動軸７の進退量、換言すればスプリング６の引張り長さの変位量を検出することができる。
【００６４】
プレスローラ変位手段２２及び押圧力可変手段２０が上記のとおり構成されていることにより、スプリング６の両端は、スプリング取付けアーム５の上記自由端部及び可動軸７で変位可能に係止されていることになる。それ故に、印圧制御モータ１４の正転あるいは逆転の回転駆動により、印圧制御モータ１４の回動量がウォーム１５からウォームホイール１１に伝達され、さらに上記ネジ機構によって可動軸７における用紙搬送方向Ｘの前若しくは後方向への直線運動に変換されることで、可動軸７が用紙搬送方向Ｘの前若しくは後方向へ移動され、これによりスプリング６の引張り長さが変化されることとなって、スプリング６の張力が可変されるため、印刷ドラム１０１に対するプレスローラ１０３の印圧が変化される。なお、本実施例１の場合、上記した印圧制御は、常に、押圧力可変手段２０のエンコーダ１２のホームポジションから開始されるようになっている。
【００６５】
図１、図２、図４、図１３及び図１８を参照して、印刷ドラム１０１廻りの構成、すなわちインキ供給手段、インキ種類検出手段及び粘度検出手段について詳述する。
印刷ドラム１０１は、支軸１０４方向に延在して設けられていて、図１３にその一部を拡大して示すように、インキ通過性の多数かつ微細な開孔部（符号不図示）が形成された樹脂あるいは金属製の多孔性支持円筒体１０１ａと、その外周面に巻き付けられた複数層のメッシュスクリーン１０１ｂとの２層構造からなる周知の構成をなす。多孔性支持円筒体１０１ａは、その円周上の所定の範囲にわたり上記開孔部が形成された印刷部位（印刷可能領域）と、上記開孔部が形成されていないインキ不通過性の非印刷部位（非印刷領域）とからなる。印刷ドラム１０１の上記非印刷部位は、支軸１０４方向の両端縁部にも所定の範囲に亘り形成されている。
【００６６】
図１、図１３及び図１８において、符号１１９はインキ供給手段を示す。インキ供給手段１１９は、印刷ドラム１０１の内周面にインキを供給するインキローラ１２０と、このインキローラ１２０と微小間隙をあけて平行に配置され、インキローラ１２０との間に断面楔形状のインキ溜り１２２を形成するドクターローラ１２１と、インキ溜り１２２へインキを供給するインキ供給ディストリビュータ１２３とから構成される。符号１２４は、インキ溜り１２２のインキ量を検知するインキ量検知センサの一部を示しており、インキ量検知センサ１２４は、インキ溜り１２２のインキにインキ検知針部を浸漬して静電容量式にそのインキ量を検知する周知のものである。インキ量検知センサ１２４は、駆動制御回路等を介して後述する押圧力可変制御手段１３０に電気的に接続されている。上記各図において、インキ溜り１２２を梨地模様で示す。
【００６７】
インキ供給手段１１９廻りの構成は、例えば上記した特開平５−２２９２４３号公報の図２及び図７に記載されているものと略同様であって、インキローラ１２０及びドクターローラ１２１は、支軸１０４の左右両端部に垂下された一対のインキローラ側板（上記公報では一対の支持プレート６１ａ，６１ｂに相当する部材であり、本実施例１ではその図示を全て省略している）にそれぞれ回転可能に支持されている。
【００６８】
この孔版印刷装置は、黒色、赤色、青色及び黄色等の多色重ね刷り印刷が可能であって、各色ごとの色替えがドラムユニットの交換により容易に行えるようになっている。説明の簡明化を図るために、後述する３種類のインキ：インキＡｋ（赤色），Ｂｋ（青色），Ｃｋ（黒色）について色替えを行い、多色印刷を行うものとする。インキＡｋ（赤色），Ｂｋ（青色），Ｃｋ（黒色）は、上述したように、そのインキの含有成分である顔料等の組成及びその量により各々の流動性、換言すれば各々のインキの粘度が異なる。
【００６９】
黒色のインキＣｋによる印刷は、ドラムユニット１４０を用いることでなされる。すなわち、ドラムユニット１４０は、黒色のインキＣｋを供給するインキ供給手段１１９がその内部に配設された印刷ドラム１０１と、印刷ドラム１０１を回転自在に支持する支軸１０４と、図２及び図４にのみ示す長板状の把持フレーム１０１Ｈの両端部にそれぞれ垂設され、支軸１０４を介して印刷ドラム１０１を回転自在に支持する後フレーム１０１Ａ及び前フレーム１０１Ｂと、後フレーム１０１Ａの外側の所定位置に取り付けられた、本実施例１におけるインキ種類検出手段を構成する小さなマグネット３０と、前フレーム１０１Ｂの外側に固設されインキ供給ディストリビュータ１２３へ黒色のインキＣｋを送出するインキポンプ装置及びインキ装置配管部（共に図示せず）等とを有する。
【００７０】
同様に、赤色のインキＡｋによる印刷はドラムユニット１４１を、青色のインキＢｋによる印刷はドラムユニット１４２をそれぞれ用いることでなされる。すなわち、ドラムユニット１４１は、赤色のインキＡｋを供給するインキ供給手段１１９がその内部に配設された印刷ドラム１０１ｍと、後フレーム１０１Ａの外側の所定位置に取り付けられた、本実施例１におけるインキ種類検出手段を構成する小さなマグネット３１と、前フレーム１０１Ｂの外側に固設されインキ供給ディストリビュータ１２３へ赤色のインキＡｋを送出する図示しないインキポンプ装置及びインキ装置配管部（共に図示せず）等とを有し、その他についてはドラムユニット１４０と同様の構成を有する。
【００７１】
ドラムユニット１４２は、青色のインキＢｋを供給するインキ供給手段１１９がその内部に配設された印刷ドラム１０１ｎと、後フレーム１０１Ａの外側の所定位置に取り付けられた、本実施例１におけるインキ種類検出手段を構成する小さなマグネット３２と、前フレーム１０１Ｂの外側に固設されインキ供給ディストリビュータ１２３へ青色のインキＢｋを送出する図示しないインキポンプ装置及びインキ装置配管部（共に図示せず）等とを有し、その他についてはドラムユニット１４０と同様の構成を有する。
【００７２】
左側の本体フレーム５０には、各ドラムユニット１４０，１４１，１４２の支軸１０４を着脱自在に支持する軸受支持部４９及び把持フレーム１０１Ｈを着脱自在に保持する図示しない保持手段がそれぞれ設けられている。左側の本体フレーム５０の内壁には、各ドラムユニット１４０，１４１，１４２がこの装置における本体フレーム５０に装着されたときに、各マグネット３０，３１，３２と相対向する位置にそれぞれ取り付けられた、３個のホール素子センサ３６，３７，３８群からなるドラムユニット検出センサ３５が配設されている。ドラムユニット検出センサ３５は、上記した３個のマグネット３０，３１，３２群と共に、本実施例１におけるインキ種類検出手段を構成する。ドラムユニット検出センサ３５を構成する３個の各ホール素子センサ３６，３７，３８は、図示しない電子回路を介して後述する押圧力可変制御手段１３０に接続されている。
【００７３】
なお、上記保持手段及び軸受支持部４９等を具備するドラムユニット着脱機構の詳細は、例えば特開平５−２２９２４３号公報に記載されている構成と同様であるため、その説明を省略する。
【００７４】
このようなインキ種類検出手段を有することで、例えば、黒色インキＣｋのドラムユニット１４０が本体フレーム５０に装着されたときには、マグネット３０が本体フレーム５０のホール素子センサ３８と相対向してホール素子センサ３８がオンすることで、黒色インキＣｋのドラムユニット１４０が装着されていることが検知される。同様にして、赤色インキＡｋのドラムユニット１４１が本体フレーム５０に装着されたときには、マグネット３１が本体フレーム５０のホール素子センサ３６と相対向してホール素子センサ３６がオンすることで、青色インキＢｋのドラムユニット１４２が本体フレーム５０に装着されたときには、マグネット３２が本体フレーム５０のホール素子センサ３７と相対向してホール素子センサ３７がオンすることで、それぞれ赤色インキＡｋのドラムユニット１４１、青色インキＢｋのドラムユニット１４２が装着されていることが検知される。このように、色替え印刷時において、ドラムユニットに配設されているインキの種類の数（この実施例１ではインキの色の数）によって、マグネットの位置や個数を異なるように配置し、かつ、それらに相対向する本体フレーム５０の所定位置にホール素子センサを適宜配置することで、より多数のドラム内のインキの種類を検出することができる。なお、上記の各インキとしては、Ｗ／Ｏ型のエマルジョンインキを用いている。
【００７５】
図１において、符号２１は粘度検出手段を示す。粘度検出手段２１は、図１、図５及び図６に示すように、インキ供給手段１１９のドクターローラ１２１下方におけるインキローラ１２０のインキ塗布面にインキ層を介して接触するインキ粘度検出ローラ１６と、インキ粘度検出ローラ１６を一定の回転速度で回転するローラ駆動手段としてのインキ粘度検出モータ１７と、インキ粘度検出モータ１７に電力を供給する電源としての駆動電源１９と、駆動電源１９からインキ粘度検出モータ１７に供給される電流値を検出する電流値検出手段２５とから主に構成される。
【００７６】
本実施例１における粘度検出手段２１は、図５に示すように、駆動電源１９からインキ粘度検出モータ１７に供給される電流値Ｉの変化を検出することによってインキの粘度を検出することを特徴とするものである。
【００７７】
インキ粘度検出ローラ１６は、その外周部がアルミニウムやステンレススチール等の合金でできていて、その軸線方向に亘る全外周面が所定範囲内の表面粗さとなるように均一に仕上げられている。インキ粘度検出ローラ１６は、さらに詳しく述べると、インキローラ１２０とドクターローラ１２１との近接部におけるインキローラ１２０の回転方向下流側の上記インキ塗布面に上記インキ層を介して接触すべく配置されている。インキ粘度検出ローラ１６は、インキローラ１２０の軸線方向と平行に、かつ、インキローラ１２０の長さ方向に延在して設けられている。インキ粘度検出ローラ１６の一端は、軸（符号不図示）を介してインキ粘度検出モータ１７の出力軸１７ａ端に連結されていて、出力軸１７ａは左側の上記インキローラ側板に軸受（図示せず）を介して回動自在に支持されている。インキ粘度検出ローラ１６の他端は、軸（符号不図示）を介して、右側の上記インキローラ側板に軸受（図示せず）を介して回動自在に支持されている。インキ粘度検出ローラ１６は、インキ粘度検出モータ１７によって、ドクターローラ１２１の回転方向と同じ回転方向に回転される。
【００７８】
インキ粘度検出モータ１７は、ＤＣモータでなり、左側の上記インキローラ側板の外側壁に固設されている。駆動電源１９としては、直流電源を用いている。  駆動電源１９からインキ粘度検出モータ１７に供給される電流値Ｉの変化を検出する方式としては、図５に示すように、駆動電源１９及びインキ粘度検出モータ１７に加えて、一定値の電気抵抗を有する電圧値変換手段２６としての基準抵抗Ｒを設けて閉回路とすることにより、駆動電源１９、インキ粘度検出モータ１７及び基準抵抗Ｒからなる一つの直流回路が形成されている。この一つの直流回路の全体構成が、駆動電源１９からインキ粘度検出モータ１７に供給される電流値Ｉを計測する一つの計測器としての機能を有しており、いわば電流値検出手段２５として機能する。
【００７９】
基準抵抗Ｒの両端子間には、インキ粘度検出モータ１７に供給される電流値Ｉが基準抵抗Ｒを流れるときに発生する電圧値（Ｖ＝ＩＲ）を測定する電圧検出器２７が設けられている。この電圧検出器２７により、インキ粘度検出モータ１７に供給される電流値Ｉが基準抵抗Ｒを流れるときに発生する電圧値（Ｖ＝ＩＲ）を測定することで、電流値Ｉの変化が電圧値として読み取られる。この電圧検出器２７には、アナログ量としての電圧値をデジタル量としての電圧値に変換するＡ／Ｄコンバータ２８が接続されていて、Ａ／Ｄコンバータ２８により上記電圧値がデジタル信号に変換されインキ粘度検出信号となる。このＡ／Ｄコンバータ２８は、後述する押圧力可変制御手段１３０のＣＰＵ１３１に接続されていて、デジタル信号に変換されたインキ粘度検出信号がＣＰＵ１３１内に取り込まれるようになっている。
【００８０】
なお、図５に示した直流回路は、インキ粘度検出モータ１７を駆動する駆動回路の一部を構成しているが、ＣＰＵ１３１による指令信号に基づいて、駆動電源１９からインキ粘度検出モータ１７へ供給する電流をオン／オフ制御するサイリスタ等の半導体スイッチング素子（図示せず）が設けられていることはいうまでもない。
【００８１】
インキ粘度検出ローラ１６を一定の回転速度で回転させるインキ粘度検出モータ１７の回転速度制御の構成は、図６に示すように、インキ粘度検出モータ１７の回転速度ムラを検出するための、インキ粘度検出モータ１７の出力軸１７ａに設けられたエンコーダ１７Ｅと、エンコーダ１７Ｅにより検出された上記回転速度ムラに係る検出値に応じて、インキ粘度検出モータ１７をしてインキ粘度検出ローラ１６を一定の回転速度で回転させるように駆動電源１９の出力電流値を制御する定速制御回路２３とから主に構成されている。エンコーダ１７Ｅは、磁気式のロータリエンコーダからなり、インキ粘度検出モータ１７に内蔵されているものである。
【００８２】
この回転速度制御の動作は、以下のようになる。インキ粘度検出モータ１７の回転速度ムラ（インキ粘度検出ローラ１６の一定の回転速度からのズレ量をいう）がエンコーダ１７Ｅで検出されると、その検出値に応じて定速制御回路２３により、インキ粘度検出モータ１７をしてインキ粘度検出ローラ１６を一定の回転速度で回転させるように駆動電源１９の出力電流値が制御され、インキ粘度検出モータ１７に随時フィードバックされるようになっている。この一連のフィードバック制御回路により、インキ粘度検出モータ１７をしてインキ粘度検出ローラ１６を一定の回転速度で回転させることが可能となる。
【００８３】
すなわち、インキの粘度が低い場合には、インキローラ１２０のインキ塗布面に上記インキ層を介して接触しているインキ粘度検出ローラ１６の回転負荷トルクが小さくなり、これによりインキ粘度検出モータ１７の回転速度が速くなるので、これを補償するために駆動電源１９からの出力電流（電圧）値が減少する。これと反対に、インキの粘度が高い場合には、インキ粘度検出ローラ１６の回転負荷トルクが大きくなり、これによりインキ粘度検出モータ１７の回転速度が遅くなるので、これを補償すべく駆動電源１９からの出力電流（電圧）値が増加する。したがって、この電流（電圧）値の変化を検出することで、インキ粘度の変化を捕えることができる。
【００８４】
なお、エンコーダ１７Ｅは、上記のものに限らず、図１４を借りて示すような、スリット円板を有するフォトロータリエンコーダからなる回転数検出センサ１７０及び上記スリット円板を挾み付けるパルス検知センサ１７１からなる周知のものであってもよい。この場合のインキ粘度検出モータ１７の定回転速度制御は、回転数検出センサ１７０及びパルス検知センサ１７１の協働により検出されたインキ粘度検出モータ１７の回転数を、後述する押圧力可変制御手段１３０のＣＰＵ１３１に随時フィードバックしつつ、インキ粘度検出モータ１７の回転速度を定速度制御するものである。
【００８５】
また、インキ粘度検出モータ１７の定回転速度制御は、上記した定回転速度制御による各利点を望まなくてよいのであれば上記のものに限らず、周知の電子ガバナー方式によるものや、あるいはタコジェネレータを用いた周知の速度制御回路方式によるもの等であってもよいことはいうまでもない。
【００８６】
上述した内容に着目して、インキ種類が異なるインキの中で、特にその色が異なる赤色インキＡｋ、青色インキＢｋ、黒色インキＣｋの３種類について実験したところ、図１１に示すようなインキ粘度とインキ粘度検出モータ出力電圧とに係る相関データを得た。インキ粘度検出モータ出力電圧は、図７に示すブロック図の信号としてはインキ粘度検出信号として総括的に表されている。図１１において、横軸には電圧検出器２７で検出されるインキ粘度検出モータ出力電圧Ｖ［Ｖ］が、縦軸にはインキ粘度η［Ｐａ・ｓ］がそれぞれとられている。各色ごとのインキ粘度は、コーンプレート型粘度計（ＨＡＡＫＥ社製）を用いて、ずり速度１００［ｌ／ｓ］で測定している。なお、このときのずり速度の値は、孔版印刷装置内のインキ粘度検出手段の構成に合わせて、最適な値を実験にて求めればよい。このようにして例えば、あるインキの環境温度２３℃、相対湿度６５％でのインキ粘度とインキ粘度検出モータ出力電圧とに係る相関データを得る場合には、まず、コーンプレート型粘度計にて粘度を測定し、測定後、このインキ粘度が既知のインキサンプルを同環境状態にて本実施例１の構造を有する孔版印刷装置に入れて、後述するフローチャートで示す動作例に準拠してインキ粘度検出モータ１７を作動させ、そのときに電圧検出器２７で検出されたインキ粘度検出信号としてのインキ粘度検出モータ出力電圧Ｖ［Ｖ］を測定し、グラフにプロットする。このようにして、各インキごとに環境や使用状態等で変化したインキの粘度を測定していき、対応するインキ粘度検出モータ出力電圧Ｖ［Ｖ］を、順次測定しプロットしたところ、図１１に示すようなインキ粘度とインキ粘度検出モータ出力電圧値との相関データが得られた。
【００８７】
この相関データからも分かるように、インキ粘度η［Ｐａ・ｓ］とインキ粘度検出モータ出力電圧Ｖ［Ｖ］とは、略比例的関係にあるといえる。なお、各ドラムユニット１４０，１４１，１４２ごとに、インキ供給手段１１９、インキ粘度検出ローラ１６及びインキ粘度検出モータ１７等の形状寸法等の仕様及び配置位置等を、全て同一に設定して測定したことはいうまでもない。
【００８８】
なお、実際の孔版印刷装置で、一定量のインキをインキ溜り１２２に常に確保することは、現在の技術では困難であると予想されるため、本実施例１においては、インキがドクターローラ１２１によりインキローラ１２０外周面上で一定の厚みのインキ層に計量された後に、インキ粘度検出ローラ１６により印刷ドラム１０１内周面にできるだけ近い部分のインキであるインキローラ１２０外周面上のインキ層のインキの粘度を検出する構成とした。
【００８９】
図３に示すように、孔版印刷装置の原稿読取部８０の上部には、この孔版印刷装置を操作するための操作パネル４０が配置されている。操作パネル４０には、本実施例１では使用されないインキ種類設定手段としてのインキ種類設定キー４１と、印刷枚数等を設定・入力するテンキー４２と、このテンキー４２の押下（オン）により設定・入力された印刷枚数等を表示する７セグメントのＬＥＤ（発光ダイオード）表示部４３と、原稿画像の画像読み取りから試し刷りに至る各動作の起動を設定・入力する製版スタートキー４４と、テンキー４２で設定・入力された印刷枚数の印刷動作の起動及び粘度検出手段２１のインキ粘度検出モータ１７の起動をそれぞれ行う印刷スタートキー４５と、インキ種類設定キー４１で選択的に設定されたインキ種類、又はドラムユニット検出センサ３５により検出されたインキ種類を表示するためのインキ種類表示用のＬＥＤランプ群４６と、印刷速度レベル１〜５の５段階の印刷速度の中から１つの印刷速度を選択的に設定するための印刷速度設定手段としての速度ダウンキー４７Ａ及び速度アップキー４７Ｂからなる印刷速度設定キー４７と、速度ダウンキー４７Ａ又は速度アップキー４７Ｂにより設定された設定印刷速度を表示するためのＬＥＤランプ群からなる速度表示器４８等が配置されている。
【００９０】
ＬＥＤランプ群４６は、各インキの粘度の値が異なる３種類のインキの何れが選択されているのかを表示するランプ群、すなわち、黒色インキＣｋに対応するドラムユニット１４０が選択されていることを表示するＬＥＤランプ４６ａ、赤色インキＡｋに対応するドラムユニット１４１が選択されていることを表示するＬＥＤランプ４６ｂ及び青色インキＢｋに対応するドラムユニット１４２が選択されていることを表示するＬＥＤランプ４６ｃからなる。インキ種類設定キー４１を１回押下するとＬＥＤランプ４６ａが点灯し、インキ種類設定キー４１を２回押下するとＬＥＤランプ４６ｂが点灯するというように、インキ種類設定キー４１を１回押下するごとに順次ＬＥＤランプの点灯が切り替わり、ユーザが設定したインキ種類に対応するドラムユニットが選択されていることを表示するようになっている。
【００９１】
速度表示器４８は、速度ダウンキー４７Ａ又は速度アップキー４７Ｂの１回ごとの押下により、上記印刷速度を１から５までの５段階の設定印刷速度（以下単に「設定印刷速度：１速〜５速」というときがある）に、切り換えられる印刷速度を点灯表示する。速度ダウンキー４７Ａ又は速度アップキー４７Ｂは、速度表示器４８の近傍に配置されていて、１回押下するごとに、設定印刷速度：１速〜５速の何れか１つの設定印刷速度に対応した各ＬＥＤランプの点灯を順次切り換える機能も有しており、これにより、オペレータが選択した設定印刷速度が速度表示器４８にて目視確認できるようになっている。
【００９２】
ハッチングを施した「設定印刷速度：３速」は、通常使用される印刷速度に対応した標準印刷速度であって、速度ダウンキー４７Ａ又は速度アップキー４７Ｂを押下しなかった場合に自動的に設定されるようになっている。ここで、例えば「設定印刷速度：１速」は印刷速度が最低速の６０枚／ｍｉｎ：６０ｒｐｍに、「設定印刷速度：２速」は印刷速度が７５枚／ｍｉｎ：７５ｒｐｍに、「設定印刷速度：３速」は印刷速度が９０枚／ｍｉｎ：９０ｒｐｍに、「設定印刷速度：４速」は印刷速度が１０５枚／ｍｉｎ：１０５ｒｐｍに、「設定印刷速度：５速」は印刷速度が最高速の１２０枚／ｍｉｎ：１２０ｒｐｍにそれぞれ対応して設定されている。
【００９３】
次に、図５乃至図７を参照して、本実施例１の制御構成、制御プロセスについて詳しく述べる。
図７において、符号１３０は押圧力可変制御手段を示す。押圧力可変制御手段１３０は、ＣＰＵ（中央演算処理装置）１３１、図示しないＩ／Ｏ（入出力）ポート及びＲＯＭ（読み出し専用記憶装置）１３２、ＲＡＭ（読み書き可能な記憶装置）１３３等を備え、それらが図示しない信号バスによって接続された構成を有するマイクロコンピュータからなる。押圧力可変制御手段１３０は、左側の本体フレーム５０に配設された図示しないボードに設けられている。なお、図７に示されているブロック図において、破線で囲んで示す制御構成は、本実施例１では使用されないものを表す。
【００９４】
押圧力可変制御手段１３０は、本実施例１においては、粘度検出手段２１により検出されたインキ粘度とインキ種類検出手段としてのドラムユニット検出センサ３５により検出されたインキ種類と印刷速度設定手段としての印刷速度設定キー４７により設定された印刷速度とに応じて、予め設定された制御パターンテーブルの中から所定の押圧力を選択し、この所定の押圧力が印刷ドラム１０１に加わるように押圧力可変手段２０を制御する機能を有する。
【００９５】
ＣＰＵ１３１は、操作パネル４０の各種キー、ＬＥＤランプ群４６及び速度表示器４８、ドラムユニット検出センサ３５、Ａ／Ｄコンバータ２８、印圧制御モータ１４及びパルス検知センサ１３に、上記入出力ポートを介して電気的に接続されていて、これらとの間で指令信号及び／又はオン／オフ信号やデータ信号を送受信している。またＣＰＵ１３１は、上記孔版印刷装置を構成する原稿読取部８０、製版・給版部９０、排版部７０、給紙部１１０、印圧部１００及び排紙部５５を構成する各駆動機構に図示しない各々の駆動回路等を介して電気的に接続されていて、これらとの間で指令信号及び／又はオン／オフ信号やデータ信号を送受信しており、上記孔版印刷装置の上記各部の駆動機構の起動、停止及びタイミング等の動作全体のシステムを制御している。
【００９６】
押圧力可変制御手段１３０内のＲＯＭ１３２には、一部上記したように前もって実験等により求められた、図１２に示す制御パターンテーブルが予め記憶されている。上記制御パターンテーブルとしては、対応する上記各インキの種類ごとに準備されていて、図１２に示す制御パターンテーブルは上記各インキの中の一つ、本実施例１では黒色インキＣｋに係るものを示す。この制御パターンテーブルは、インキ粘度検出モータ出力電圧値［Ｖ］が横軸に、その時の機械条件に最も適した設定印圧［Ｎ］及びこれに対応する印圧設定パルス数がそれぞれ縦軸にとられていて、これらに対応すべく３段階の設定印刷速度：１速、３速、５速が階段状にステップアップするように割り付けられているものである。つまり、制御パターンテーブルは、黒色インキＣｋの粘度の検出値であるインキ粘度検出モータ出力電圧値［Ｖ］と設定印刷速度とをパラメータとして、換言するとインキ粘度検出信号と印刷速度設定信号とに応じて、所定の押圧力、すなわちその時の機械条件に最も適した設定印圧［Ｎ］に対応する印圧設定パルス数が決定されることを表している。また、ＲＯＭ１３２には、上記各部の起動、停止及びタイミング等の動作に関するプログラムや、押圧力可変制御手段１３０の上記機能を実行する動作に関するプログラム（図８乃至図１０のフローチャート参照）、あるいは必要なデータが予め記憶されている。なお、上記した３段階の設定印刷速度は、あくまでも代表的な設定例の一つとして例示したものであり、設定印刷速度：２速、４速については説明の便宜上から省略した。
【００９７】
押圧力可変制御手段１３０内のＲＡＭ１３３は、ＣＰＵ１３１での計算結果を一時記憶したり、上記各種キー及び各センサ等から設定・入力されたデータ信号やオン／オフ信号を随時記憶したりして設定パラメータの入出力を行う。
【００９８】
各種キーを押下（オン）することにより生成される各信号、すなわち、製版スタートキー４４からの製版スタート信号、印刷スタートキー４５からの印刷スタート信号、テンキー４２からの印刷枚数信号、印刷速度設定キー４７の速度ダウンキー４７Ａや速度アップキー４７Ｂからの印刷速度設定信号（データ信号やオン／オフ信号）は、上記入力ポートを介してＣＰＵ１３１にそれぞれ送信される。ＣＰＵ１３１は、上記印刷速度設定信号を取り込み、この印刷速度設定信号に基づいて設定印刷速度に係るＬＥＤランプを点灯させる速度表示信号（オン／オフ信号）を上記出力ポート及び駆動回路（図示せず）を介して速度表示器４８に送信すると共に、上記印刷速度設定信号をＲＡＭ１３３に一時格納したりする。  ドラムユニット検出センサ３５で検出されたインキ種類検出信号（オン／オフ信号）は、上記入力ポートを介してＣＰＵ１３１に送信される。ＣＰＵ１３１は、上記インキ種類検出信号を取り込み、上記インキ種類検出信号に基づいて、ＬＥＤランプ群４６の各ＬＥＤランプを点灯させるインキ種類表示信号を上記出力ポート及び駆動回路（図示せず）を介してＬＥＤランプ群４６に送信すると共に、上記インキ種類検出信号をＲＡＭ１３３に一時格納したりする。
【００９９】
図５及び図６を参照して述べたように、Ａ／Ｄコンバータ２８でデジタル信号に変換されたインキ粘度検出信号は、上記入力ポートを介してＣＰＵ１３１に送信される。ＣＰＵ１３１は、上記インキ種類検出信号、上記印刷速度設定信号及び上記インキ粘度検出信号に基づいて、ＲＯＭ１３２に予め記憶されている制御パターンテーブルとの照合を行い、所定の押圧力、すなわちその時の機械条件に最も適した設定印圧［Ｎ］に対応する印圧設定パルス数を決定し、この印圧設定パルス数に係る印圧制御信号を上記出力ポート及び上記駆動回路（図示せず）を介して印圧制御モータ１４に送信して最適な印圧制御を行う。
【０１００】
（実施例１の動作）
次に、図８乃至図１０のフローチャートを併用しながら、図１８に示した孔版印刷装置の前述した動作と相違する点を中心に動作を説明する。
先ず、オペレータが、上記原稿受け台に原稿６０をセットした後、製版スタートキー４４を押下（オン）すると、製版スタート信号が上記入力ポートを介して押圧力可変制御手段１３０のＣＰＵ１３１に入力・取り込まれる。製版スタート信号がＣＰＵ１３１に取り込まれると、ドラムユニット１４０のインキ種類が検知される。すなわち、ドラムユニット検出センサ３５のホール素子センサ３８がドラムユニット１４０のマグネット３０と相対向してホール素子センサ３８がオンすることで、黒色インキＣｋのドラムユニット１４０が確かに装着されていることが検知される。そして、そのインキ種類検出信号が、押圧力可変制御手段１３０のＣＰＵ１３１に上記入力ポートを介して入力・取り込まれて、ＲＡＭ１３３に一時記憶され、印圧制御の一つの条件とされる。これと同時に、ＬＥＤランプ群４６のＬＥＤランプ４６ａが点灯することで、オペレータは黒色インキＣｋのドラムユニット１４０が装着されていることを目視・確認する。次いで、上述した排版工程が実行されるとともに、これと並行して上述した原稿６０の画像読み取り工程〜製版・給版工程及び「版付け」あるいは「試し刷り」工程、すなわちこれらの工程における動作の総括名称である給排版動作が実行される（ステップＳ１〜ステップＳ３参照）。
【０１０１】
次いで、オペレータが、テンキー４２で印刷枚数を設定した後、印刷速度設定キー４７の速度アップキー４７Ｂを押下して設定印刷速度：５速を選択すると、印刷枚数設定信号及び印刷速度設定信号：５速が、押圧力可変制御手段１３０のＣＰＵ１３１に上記入力ポートを介して順次取り込まれ、上記インキ種類検出信号のときと同様にしてＲＡＭ１３３にそれぞれ一時記憶され、印圧制御の条件とされる。そして、ＣＰＵ１３１の指令によって、上記印刷枚数の数値表示がＬＥＤ表示部４３になされると共に、設定印刷速度：５速に対応した速度表示器４８のＬＥＤランプが点灯する（ステップＳ４、ステップＳ５参照）。
【０１０２】
次いでステップＳ６に進み、オペレータが印刷スタートキー４５を押下することにより、印刷スタート信号が押圧力可変制御手段１３０のＣＰＵ１３１に上記入力ポートを介して入力・取り込まれると、印刷ドラム１０１が図中矢印Ａ方向に回転される。この印刷ドラム１０１の回転と同時に、インキローラ１２０も同方向に同期して回転され、インキ量検知センサ１２４の作動によりインキ溜り１２２のインキ量が検知されることで、上記インキ供給ポンプが作動され、インキ供給ディストリビュータ１２３から所定量に達するまでインキＣｋの供給が行われる。そして、インキ量検知センサ１２４によりインキ溜り１２２のインキＣｋが所定量になったことが検知されると、インキ粘度検出モータ１７が上述したように一定の回転速度でドクターローラ１２１の回転方向と同じ回転方向に回転駆動される。
【０１０３】
図５及び図６を参照して述べたように、インキＣｋの粘度が低い場合には、インキローラ１２０のインキ塗布面にインキ層を介して接触しているインキ粘度検出ローラ１６の回転負荷トルクが小さくなり、これによりインキ粘度検出モータ１７の回転速度が速くなるので、これを補償するために駆動電源１９からインキ粘度検出モータ１７に流れ込む電流値Ｉが減少する。これとは逆に、インキＣｋの粘度が高い場合には、インキ粘度検出ローラ１６の回転負荷トルクが大きくなり、これによりインキ粘度検出モータ１７の回転速度が遅くなるので、これを補償すべく駆動電源１９からインキ粘度検出モータ１７に流れ込む電流値Ｉが増加する。この電流値Ｉは、電流値検出手段２５の電圧値変換手段２６で電圧値に変換され、この電圧値は電圧検出器２７で検出され、Ａ／Ｄコンバータ２８によりデジタル信号に変換されインキ粘度検出信号として、押圧力可変制御手段１３０のＣＰＵ１３１に上記入力ポートを介して入力・取り込まれる（ステップＳ７参照）。
【０１０４】
上記インキ粘度検出信号がＣＰＵ１３１に取り込まれると、ステップＳ８に進み、ＣＰＵ１３１は、ＲＡＭ１３３から上記インキ種類検出信号を呼び出して、ＲＯＭ１３２に予め記憶されている各色ごとの制御パターンテーブルとの照合を行い、先ず、図１２に示されているインキＣｋに係る制御パターンテーブルを選択する。そして、ＣＰＵ１３１は、上記インキ粘度検出信号（本実施例１ではインキ粘度検出モータ出力電圧値である）及びＲＡＭ１３３から呼び出された上記印刷速度設定信号（設定印刷速度：５速）と図１２に示されているインキＣｋに係る制御パターンテーブルとの照合を行い、その時の機械条件に最も適した設定印圧（設定押圧力）に対応した所定の印圧設定パルス数を決定する。
【０１０５】
上記所定の印圧設定パルス数の決定例を示すと以下のようになる。すなわち例えば、インキ粘度検出信号としてインキ粘度検出モータ出力電圧値ＶがＶ２以上Ｖ３未満のときには、黒太線で表されている印刷速度設定信号＝設定印刷速度：５速に対応して、この時の機械条件に最も適した設定印圧［Ｎ］はＰ＋１［Ｎ］が選択され、この設定印圧Ｐ＋１［Ｎ］に対応した印圧設定パルス数としてＰＬ＋１が決定される。これとは別の例として、インキ粘度検出信号としてインキ粘度検出モータ出力電圧値ＶがＶ３以上のときには、この時の機械条件に最も適した設定印圧［Ｎ］はＰ＋３［Ｎ］であり、この設定印圧Ｐ＋３［Ｎ］に対応した印圧設定パルス数としてＰＬ＋３が決定される。
【０１０６】
次いで、ステップＳ９に進み、図１０にサブルーチンプログラムとして表わされている印圧設定処理動作が実行される。この印圧設定処理動作は、先ず、ステップＳ１０において、遮蔽板８とフォトセンサ９との協働により、印圧標準状態であるエンコーダ１２のホームポジションが検知されることで始まり、その印圧標準状態に対応したパルス数信号がＣＰＵ１３１に入力され取り込まれる。この後、ＣＰＵ１３１は、印圧制御モータ１４をして、エンコーダ１２を上記所定の印圧設定パルス数分だけ回転させる印圧制御信号（指令信号）を上記出力ポート及び上記駆動回路を介して印圧制御モータ１４に出力・送信する。上記印圧制御信号に基づいて、エンコーダ１２が上記所定の印圧設定パルス数（エンコーダパルス数）に達するまで、印圧制御モータ１４が正転あるいは逆転駆動され始め、エンコーダ１２とパルス検知センサ１３との協働によって随時エンコーダ１２の回転数、すなわちスプリング６の引張り長さの変位量がパルス数信号としてＣＰＵ１３１に入力・取り込まれてフィードバック制御される。そして、ＣＰＵ１３１によって、パルス検知センサ１３からのパルス数信号が上記所定の印圧設定パルス数と等しいと判断された時点で、印圧制御モータ１４への上記印圧制御信号の出力が停止されることにより、印圧制御モータ１４の上記回転駆動が停止される（ステップＳ１１〜ステップＳ１３参照）。
【０１０７】
上記所定の印圧設定パルス数（エンコーダパルス数）に対応したスプリング６の引張り長さの変位によって、スプリング６の張力が変化し、プレスローラ変位手段２２を介して上述した所定の印圧制御動作がなされる。次いで、ステップＳ１４に進んで、上記印圧設定処理動作がオーケーか否かが判断される。この判断は、例えば、本実施例１の場合、スプリング６の張力、あるいは長さを実際に測定する方法も考えられるが、その構成が複雑となると共にコスト高となるため、良策とはいえない。そこで本実施例１では、単純に、遮蔽板８の検出有無を利用して可否判断を行う方法をとった。そして、ステップＳ１６に進んで、オペレータは、印圧の設定が狙い通りに行われたのを確認した後、テンキー４２で設定・入力された印刷枚数分の通常の印刷処理動作が行われ、一連の動作が終了する（ステップＳ１６〜ステップＳ１８参照）。
【０１０８】
ここで、図１３を参照して、最適な品質の印刷画像を得る印刷条件について簡単に説明する。上記のような孔版印刷装置による印刷では、製版済マスタ６１ｃの穿孔部分から押し出されるインキ量は、インキ供給手段１１９のインキローラ１２０と印刷ドラム１０１の内側の多孔性支持円筒体１０１ａとの接触圧Ｆ（インキ吐出圧Ｆでもある）に影響される。このインキ吐出圧Ｆは、プレスローラ１０３（あるいは後述する押圧手段としての圧胴１２５）が上記したプレスローラ変位手段２２及び押圧力可変手段２０を介して印刷ドラム１０１に押し付けられるときの印圧Ｐそのものではなく、印刷ドラム１０１を変形させてインキローラ１２０に接触させる力を差し引いた値であるため、実際にインキ自身にかかるインキ吐出圧Ｆは印圧Ｐよりも小さい値となる（Ｐ＞Ｆ）。それ故に、最適な品質の印刷画像を得る印刷条件の一つとしてのインキ吐出圧Ｆを最適値とするためには、印刷ドラム１０１の剛性とプレスローラ１０３による印圧Ｐとのバランスを取ればよいことに帰着される。また見方を変えるならば、ミクロ的に見たときに凹凸のある印刷用紙６２の表面に圧を加えてインキを押し込み、さらに印刷用紙６２の繊維内にインキを浸透させる必要があるので、印刷ドラム１０１の内側からインキを押し出す圧力でもあるインキ吐出圧Ｆ以外に、印刷用紙６２を製版済マスタ６１ｃに押し付ける印圧Ｐを制御することも、最適な品質の印刷画像を得る上で重要な制御対象となり、この印圧Ｐを十分に制御する必要があるといえる。なお、印圧Ｐが十分に制御されていない現状にあっては、実際的には、必要な印圧Ｐとインキ吐出圧Ｆが得られるように印刷ドラム１０１の剛性を設計的に決めていた。
【０１０９】
（変形例１）
図１、図１６及び図１７を参照して、実施例１の変形例１について簡単に述べる。
この変形例１は、上記実施例１に対して、粘度検出手段２１に代えて粘度検出手段２１Ａを有することのみ相違する。粘度検出手段２１Ａは、粘度検出手段２１に対して、図１、図１６及び図１７に示すように、駆動電源１９からインキ粘度検出モータ１７に供給される電流値を検出する電流値検出手段２５を除去したこと及び駆動電源１９の電圧を検出する電圧値検出手段２７Ａを設けた構成であることのみ相違する。なお、図１６において、符号ｒは駆動電源１９の内部抵抗を示す。
【０１１０】
したがって、この変形例１における粘度検出手段２１Ａは、駆動電源１９によりインキ粘度検出モータ１７に加えられる電圧値Ｖの変化を検出することによってインキの粘度を検出することを特徴とするものであり、実施例１と実質的な構成が略同一であって自明であるため、重複説明を避ける上からその詳細な説明を省略する。
【０１１１】
（実施例２）
図１、図７、図１４、図１９及び図２０を参照して、本発明の実施例２について述べる。
この実施例２は、上記実施例１に対して、粘度検出手段２１に代えて粘度検出手段２１Ｂを有することのみ相違する。粘度検出手段２１Ｂは、粘度検出手段２１に対して、図７に示すブロック図の制御構成から電流値検出手段２５、Ａ／Ｄコンバータ２８及び駆動電源１９を除去すると共に、それぞれ破線で囲んで示す、回転数検出センサ１７０（以下、単に「エンコーダ１７０」というときがある）、パルス検知センサ１７１及び定電流駆動電源１９Ａを付加したことのみ相違する。
【０１１２】
すなわち、粘度検出手段２１Ｂは、インキ供給手段１１９のドクターローラ１２１下方におけるインキローラ１２０のインキ塗布面にインキ層を介して接触するインキ粘度検出ローラ１６と、このインキ粘度検出ローラ１６を一定のトルクで回転するローラ駆動手段としてのインキ粘度検出モータ１７と、このインキ粘度検出モータ１７をして一定の上記トルクで回転駆動させる定電流を供給する定電流電源としての定電流駆動電源１９Ａと、インキ粘度検出ローラ１６の回転速度を検出するローラ速度検出手段としてのエンコーダ１７０及びパルス検知センサ１７１とから主に構成される。
【０１１３】
本実施例２における粘度検出手段２１Ｂは、インキ粘度検出ローラ１６の回転速度の変化を検出することによってインキの粘度を検出することを特徴とするものである。
【０１１４】
エンコーダ１７０は、インキ粘度検出ローラ１６の同軸である出力軸１７ａに固設された、スリット円板を有する光学式ロータリエンコーダである。パルス検知センサ１７１は、エンコーダ１７０と協働してパルスを発生するための、エンコーダ１７０の上記スリット円板を所定の間隔をもって挾み付けるフォトインタラプタ形の光学センサであり、パルス発生器としての機能を有する。そして、ＣＰＵ１３１は、パルス検知センサ１７１から発生するパルスの変化、すなわち上記実施例１におけるインキ粘度検出信号よりも高い精度を有するパルス数信号に基づいてインキの粘度を検出する。
【０１１５】
次に、実施例１と相違する点を中心に動作を簡明に述べる。
定電流駆動電源１９Ａから常時一定の電流が、インキ粘度検出モータ１７に供給されるので、インキ粘度検出モータ１７は一定のトルク（回転力）で回転される。インキ粘度検出モータ１７の回転速度は、インキの粘度の相違による負荷によって変化し、この回転速度の変化が、エンコーダ１７０とパルス検知センサ１７１との協働で発生するパルス数の変化によって捕えられる。換言すれば、インキの粘度の相違による負荷により、インキ粘度検出モータ１７の回転速度が変化すると、エンコーダ１７０とパルス検知センサ１７１との協働で発生するパルス幅（周波数）が変化するため、これによりインキの粘度の変化を捕えることができ、パルス数信号としてＣＰＵ１３１に出力される。
【０１１６】
この場合の、インキ粘度に対する上記パルス数との相関データとしては、図１１に示す相関データにおいて横軸にとられたインキ粘度検出モータ出力電圧Ｖ［Ｖ］に代えて、図１９に示すようにパルス数（周波数）を示すインキ粘度検出モータ出力パルス値ＰＭ［ｐｐｓ］のデータを横軸にとって対応させればよい。このようにして得られた各インキ種類ごとの実施例２の制御パターンテーブルを作成し、実施例１と同様に、ＲＯＭ１３２に予め記憶させておく。この実施例２の制御パターンテーブルは、図２０に示すようにパルス数（周波数）を示すインキ粘度検出モータ出力パルス値ＰＭ［ｐｐｓ］が横軸に、その時の機械条件に最も適した設定印圧［Ｎ］及びこれに対応する印圧設定パルス数がそれぞれ縦軸にとられることになる。
【０１１７】
すなわち、押圧力可変制御手段１３０内のＲＯＭ１３２には、前もって実験等により求められた、図２０に示す制御パターンテーブルが予め記憶されている。上記制御パターンテーブルとしては、対応する上記各インキの種類ごとに準備されていて、図２０に示す制御パターンテーブルは上記各インキの中の一つ、本実施例２では黒色インキＣｋに係るものを示す。この制御パターンテーブルは、インキ粘度検出モータ出力パルス値ＰＭ［ｐｐｓ］が横軸に、その時の機械条件に最も適した設定印圧［Ｎ］及びこれに対応する印圧設定パルス数がそれぞれ縦軸にとられていて、これらに対応すべく３段階の設定印刷速度：１速、３速、５速が階段状にステップダウンするように割り付けられているものである。つまり、制御パターンテーブルは、黒色インキＣｋの粘度の検出値であるインキ粘度検出モータ出力パルス値ＰＭ［ｐｐｓ］と設定印刷速度とをパラメータとして、換言するとインキ粘度検出信号と印刷速度設定信号とに応じて、所定の押圧力、すなわちその時の機械条件に最も適した設定印圧［Ｎ］に対応する印圧設定パルス数が決定されることを表している。なお、上記した３段階の設定印刷速度は、あくまでも代表的な設定例の一つとして例示したものであり、設定印刷速度：２速、４速については説明の便宜上から省略した。
【０１１８】
したがって、この実施例２のインキの粘度検出方式によれば、実施例１や変形例１等のように電流値Ｉや電圧値Ｖのようなアナログ信号を検出する場合に比べて、電気的ノイズの発生等がなく、検出時間が早く精度も高い利点があり、より木目の細かい印圧制御を行うことができる。また印刷処理工程中において、常時インキの粘度を検出しながら、印圧制御を適宜行うこともできる。
【０１１９】
（実施例３）
図３及び図７に本発明の実施例３を示す。
この実施例３は、上記実施例１に対して、ドラムユニット検出センサ３５を除去し、これに代えて、印刷ドラム内のインキの種類を設定するインキ種類設定手段としてのインキ種類設定キー４１を有することが主に相違する。インキ種類設定キー４１は、ユーザ等が印刷ドラムの内のインキの種類を予め知っていてそのインキの種類を設定するためのものである。以下、実施例１と相違する点のみ説明する。
【０１２０】
押圧力可変制御手段１３０は、本実施例３においては、粘度検出手段２１により検出されたインキ粘度とインキ種類設定キー４１により設定されたインキ種類と印刷速度設定キー４７により設定された印刷速度とに応じて、予め設定された制御パターンテーブルの中から所定の押圧力を選択し、この所定の押圧力が印刷ドラム１０１に加わるように押圧力可変手段２０を制御する機能を有する。
【０１２１】
この実施例３における印刷ドラム内のインキの種類を識別・検知して印圧制御を行うプロセスは、下記の初期動作内容以外は上記実施例１と同様のためその説明を省略する。すなわち、ユーザが、予め知っていて所望するドラムユニットのインキ種類をインキ種類設定キー４１で入力すると、そのインキ種類設定信号がＣＰＵ１３１に入力されると共に、そのインキ種類に対応したＬＥＤランプが点灯する。
【０１２２】
インキ粘度検出モータ１７は、コスト面、大きさ及び重量面等から騒音の減少化及びコンパクト化を図るために、ＤＣモータが望ましいが、これに限らず、ステッピングモータ、ＡＣサーボモータ等が使用可能であれば、より高精度のインキの粘度検出が可能となる。
【０１２３】
インキ粘度検出ローラ１６が図１や図１４等に示されている部位、すなわちインキローラ１２０とドクターローラ１２１との近接部におけるインキローラ１２０の回転方向下流側の上記インキ塗布面に上記インキ層を介して接触すべく配置されていることにより、次の利点がある。すなわち、インキ粘度検出ローラは、そのローラの回転によってインキの粘度の相違による負荷を検知するため、測定対象（インキ層）は常に一定条件であることが望ましい。そこで、インキ粘度検出ローラを図１や図１４等に示されている部位に設置すれば、ドクターローラ１２１によって膜厚が一定のインキ層を測定できるため、検出精度がより高くなる利点がある。
【０１２４】
インキ粘度検出ローラの配設部位は、図１や図１４に実線及び破線で示されているインキ粘度検出ローラ１６に限らず、印刷ドラム１０１の端縁部の非印刷部位に対応したインキローラ１２０の範囲内における、インキローラ１２０とドクターローラ１２１との近接部におけるインキローラ１２０の回転方向下流側の上記インキ塗布面の上記インキ層にインキが十分に確保されているような装置にあっては、例えば図１４を借りて同図に仮想線で併記したような部位に配設したインキ粘度検出ローラ１６Ｘであってもよい。その符号に括弧を付したインキ粘度検出ローラ１６Ｘは、インキ粘度検出ローラ１６に対して長さが短くかつコンパクトに構成されている。インキ粘度検出ローラ１６Ｘは、印刷ドラム１０１の端縁部の非印刷部位に対応したインキローラ１２０とドクターローラ１２１との近接部におけるインキローラ１２０の回転方向下流側の上記インキ塗布面に上記インキ層を介して接触すべく配置されている。インキ粘度検出ローラ１６Ｘの一端は、軸（符号不図示）を介してインキ粘度検出モータ１７の出力軸１７ａ端に連結されていて、出力軸１７ａは左側の上記インキローラ側板に軸受（図示せず）を介して回動自在に支持されている。
【０１２５】
本発明の実施例は、上記実施例１〜３及び変形例１等の粘度検出手段２１，２１Ａ，２１Ｂに限らず、インキ粘度検出ローラを図１や図１４等に示されている部位に設置したことによる上記利点を望まなくてもよいのであれば、以下のような構成のものであってもよい。すなわち、上記実施例１〜３及び変形例１等の各粘度検出手段２１，２１Ａ，２１Ｂの構成からインキ粘度検出ローラ１６，１６Ｘを除去すると共に、図７に破線で囲んで併記したように、インキ供給手段１１９のドクターローラ１２１に、インキ粘度検出ローラ１６の機能を付与したもの、換言すればインキ供給手段１１９のドクターローラ１２１が、インキ粘度検出ローラ１６を兼ねているものであってもよい。
【０１２６】
本発明の粘度検出手段は、上記実施例１〜３及び上記各変形例等における各粘度検出手段２１，２１Ａ，２１Ｂのインキ粘度検出ローラ１６，１６Ｘ、あるいはドクターローラ１２１が、インキ粘度検出ローラ１６を兼ねているものを用いるものに限らず、インキポンプの負荷変動を検出したり、あるいはインキポンプを駆動するインキポンプ駆動用モータへの電流値の変化や電圧値の変化等を検出することによるものであってもよい。
【０１２７】
本発明の実施例は、上記実施例１〜３及び変形例１等の押圧力可変手段２０に限らず、図１５に示すような圧胴を用いて、押圧力可変手段２０Ａにより印圧制御を行うものであってもよい。同図において、符号１２５は、押圧手段としての圧胴を示す。圧胴１２５は、例えば特開平５−２０１１１５号公報に開示されていると同様な切欠き凹部１２５ａを有する。本例では、押圧力可変手段２０Ａは、プレスローラ変位手段２２に代えて、印刷ドラム１０１の外周面に圧胴１２５を選択的に接離させる圧胴変位手段２２Ａを有することが主に相違する。
【０１２８】
圧胴変位手段２２Ａは、圧胴１２５を回転自在に支持する圧胴支軸１２６と、この圧胴支軸１２６と圧胴１２５の後側に設けられた支点軸１２８との間に配置され、用紙搬送方向Ｘの前側に延在する揺動可能な左右一対のアーム左・右１２７ａ，１２７ｂと、左右一対のスプリング６の一端が係止された左右一対のアーム左・右１２７ａ，１２７ｂの自由端と圧胴支軸１２６との間のアーム左・右１２７ａ，１２７ｂに配置された左右一対のカムフォロア１２７ｃと、左右一対のカムフォロア１２７ｃの近傍に回転自在に配置され、左右一対のカムフォロア１２７ｃに選択的に係合する輪郭周面を有する左右一対の印圧カム１２９とから主に構成される。左右一対の印圧カム１２９は、プレスローラ駆動手段１５０と類似する手段により、印刷ドラム１０１の回転と同期をとって回転されるようになっている周知の構成をなす。
【０１２９】
なお、圧胴変位手段は、圧胴変位手段２２Ａに限らず、上記した特開平５−２０１１１５号公報に開示されているような偏心軸を用いたもの等であってもよいことはいうまでもない。
【０１３０】
なお、本発明の実施例は、上記した押圧力可変手段２０，２０Ａに限らず、これら押圧力可変手段２０，２０Ａを構成する印圧制御モータ１４、エンコーダ１２及びパルス検知センサ１３に代えて、ステッピングモータを配設することにより、このステッピングモータ単独で周知の回転量制御方式によって上述したと同様な印圧制御を行うことも勿論可能である。また、上記した押圧力可変手段２０，２０Ａにおける印圧自体を可変する手段は、上記したものに限らず、例えば特開平６−３４０１６２号公報に示されている電気アクチュエータあるいはソレノイド等を用いる構成のものでもよい。
【０１３１】
なお、インキ種類検出手段は、例えば、特開平６−１９９０２８号公報の図３及び図４等に記載されているディップスイッチ１３３，１３５や、バーコード等の符号読み取り検出装置、印刷ドラムに配設された色識別形状部の光電センサによる識別、あるいは印刷ドラムに供給されるインキの色自体を直接的に検出する色検出センサ等を設けて、使用する印刷ドラム内のインキの種類を検出するものであってもよい。
【０１３２】
また、本発明の実施例は、上記実施例１〜３及び変形例１等に限定されず、インキの粘度の検出精度がそれほど要求されないのであれば、インキ粘度検出ローラ１６に代えて、インキ溜り１２２のインキ内に浸漬する非常に小さな回転ローラ、あるいはインキ溜り１２２のインキ内に浸漬する非常に小さなスクリュウで構成されたインキ粘度検出部材であってもよい。
【０１３３】
また、本発明の実施例は、上記実施例１〜３及び変形例１等に限定されず、印圧制御を行うための各情報パラメータの組合わせ、すなわちインキ粘度と、インキ種類検出手段により検出された又はインキ種類設定手段により設定されたインキ種類及び印刷速度とのパラメータの組合わせによるものであってもよい（課題を解決するための手段における請求項１〜１８記載の発明参照）。
【０１３４】
【発明の効果】
以上述べたように、請求項１記載の発明によれば、上記構成のインキの粘度を検出する粘度検出手段により、印刷画像に直接的に影響を及ぼすインキの粘度そのものを検出・測定し、押圧力可変制御手段が、粘度検出手段により検出されたインキ粘度に応じて、予め設定された制御パターンテーブルの中から所定の押圧力を選択し、この選択された所定の押圧力が印刷ドラムに加わるように押圧力可変手段を制御するので、複雑な制御パターンテーブルや数多くのセンサ等を必要とすることなく、環境変動に対して適正な印圧を設定・制御することができ、常に安定した品質の印刷画像を得ることができると共に、印刷直前におけるインキの粘度を検出することができ、また印刷ドラム内のインキ粘度がインキ容器内等のインキ粘度と異なる場合（装置の長時間放置後に起きやすい）でも、より適正にインキの粘度を検出することができる。加えて、インキの粘度を、直接測定せずに電流値検出手段による電流値の変化を検出することで簡単に検出・測定することができる。
【０１３５】
請求項２記載の発明によれば、上記構成のインキの粘度を検出する粘度検出手段により、印刷画像に直接的に影響を及ぼすインキの粘度そのものを検出・測定し、押圧力可変制御手段が、粘度検出手段により検出されたインキ粘度とインキ種類検出手段により検出されたインキ種類とに応じて、予め設定された制御パターンテーブルの中から所定の押圧力を選択し、この所定の押圧力が印刷ドラムに加わるように押圧力可変手段を制御するので、複雑な制御パターンテーブルや数多くのセンサ等を必要とすることなく、環境変動及びインキ種類差によるインキの粘度変化に対しても適正な印圧を設定・制御することができ、さらに常に安定した品質の印刷画像を得ることができると共に、印刷直前におけるインキの粘度を検出することができ、また印刷ドラム内のインキ粘度がインキ容器内等のインキ粘度と異なる場合（装置の長時間放置後に起きやすい）でも、より適正にインキの粘度を検出することができる。加えて、インキの粘度を、直接測定せずに電流値検出手段による電流値の変化を検出することで簡単に検出・測定することができる。
【０１３６】
請求項３記載の発明によれば、上記構成のインキの粘度を検出する粘度検出手段により、印刷画像に直接的に影響を及ぼすインキの粘度そのものを検出・測定し、押圧力可変制御手段が、粘度検出手段により検出されたインキ粘度とインキ種類設定手段により設定されたインキ種類とに応じて、予め設定された制御パターンテーブルの中から所定の押圧力を選択し、この所定の押圧力が印刷ドラムに加わるように押圧力可変手段を制御するので、複雑な制御パターンテーブルや数多くのセンサ等を必要とすることなく、環境変動及びインキ種類差によるインキの粘度変化に対しても適正な印圧を設定・制御することができ、さらに常に安定した品質の印刷画像を得ることができると共に、印刷直前におけるインキの粘度を検出することができ、また印刷ドラム内のインキ粘度がインキ容器内等のインキ粘度と異なる場合（装置の長時間放置後に起きやすい）でも、より適正にインキの粘度を検出することができる。加えて、インキの粘度を、直接測定せずに電流値検出手段による電流値の変化を検出することで簡単に検出・測定することができる。
【０１３７】
請求項４記載の発明によれば、上記構成のインキの粘度を検出する粘度検出手段により、印刷画像に直接的に影響を及ぼすインキの粘度そのものを検出・測定し、押圧力可変制御手段が、粘度検出手段により検出されたインキ粘度と印刷速度設定手段により設定された印刷速度とに応じて予め設定された制御パターンテーブルの中から所定の押圧力を選択し、この所定の押圧力が印刷ドラムに加わるように押圧力可変手段を制御するので、複雑な制御パターンテーブルや数多くのセンサ等を必要とすることなく、環境変動によるインキの粘度変化及び設定印刷速度の変化に対しても適正な印圧を設定・制御することができ、さらに常に安定した品質の印刷画像を得ることができると共に、印刷直前におけるインキの粘度を検出することができ、また印刷ドラム内のインキ粘度がインキ容器内等のインキ粘度と異なる場合（装置の長時間放置後に起きやすい）でも、より適正にインキの粘度を検出することができる。加えて、インキの粘度を、直接測定せずに電流値検出手段による電流値の変化を検出することで簡単に検出・測定することができる。
【０１３８】
請求項５記載の発明によれば、上記構成のインキの粘度を検出する粘度検出手段により、印刷画像に直接的に影響を及ぼすインキの粘度そのものを検出・測定し、押圧力可変制御手段が、粘度検出手段により検出されたインキ粘度とインキ種類検出手段により検出されたインキ種類と印刷速度設定手段により設定された印刷速度とに応じて、予め設定された制御パターンテーブルの中から所定の押圧力を選択し、この所定の押圧力が印刷ドラムに加わるように押圧力可変手段を制御するので、複雑な制御パターンテーブルや数多くのセンサ等を必要とすることなく、環境変動及びインキ種類差によるインキの粘度変化並びに設定印刷速度の変化に対しても適正な印圧を設定・制御することができ、さらに常に安定した品質の印刷画像を得ることができると共に、印刷直前におけるインキの粘度を検出することができ、また印刷ドラム内のインキ粘度がインキ容器内等のインキ粘度と異なる場合（装置の長時間放置後に起きやすい）でも、より適正にインキの粘度を検出することができる。加えて、インキの粘度を、直接測定せずに電流値検出手段による電流値の変化を検出することで簡単に検出・測定することができる。
【０１３９】
請求項６記載の発明によれば、上記構成のインキの粘度を検出する粘度検出手段により、印刷画像に直接的に影響を及ぼすインキの粘度そのものを検出・測定し、押圧力可変制御手段が、粘度検出手段により検出されたインキ粘度とインキ種類設定手段により設定されたインキ種類と印刷速度設定手段により設定された印刷速度とに応じて、予め設定された制御パターンテーブルの中から所定の押圧力を選択し、この所定の押圧力が印刷ドラムに加わるように押圧力可変手段を制御するので、複雑な制御パターンテーブルや数多くのセンサ等を必要とすることなく、環境変動及びインキ種類差によるインキの粘度変化並びに設定印刷速度の変化に対しても適正な印圧を設定・制御することができ、さらに常に安定した品質の印刷画像を得ることができると共に、印刷直前におけるインキの粘度を検出することができ、また印刷ドラム内のインキ粘度がインキ容器内等のインキ粘度と異なる場合（装置の長時間放置後に起きやすい）でも、より適正にインキの粘度を検出することができる。加えて、インキの粘度を、直接測定せずに電流値検出手段による電流値の変化を検出することで簡単に検出・測定することができる。
【０１４０】
請求項７記載の発明によれば、上記構成のインキの粘度を検出する粘度検出手段により、印刷画像に直接的に影響を及ぼすインキの粘度そのものを検出・測定し、押圧力可変制御手段が、粘度検出手段により検出されたインキ粘度に応じて、予め設定された制御パターンテーブルの中から所定の押圧力を選択し、この選択された所定の押圧力が印刷ドラムに加わるように押圧力可変手段を制御するので、複雑な制御パターンテーブルや数多くのセンサ等を必要とすることなく、環境変動に対して適正な印圧を設定・制御することができ、常に安定した品質の印刷画像を得ることができると共に、印刷直前におけるインキの粘度を検出することができ、また印刷ドラム内のインキ粘度がインキ容器内等のインキ粘度と異なる場合（装置の長時間放置後に起きやすい）でも、より適正にインキの粘度を検出することができる。加えて、インキの粘度を、直接測定せずに電圧値検出手段による電圧値の変化を検出することで簡単に検出・測定することができる。
【０１４１】
請求項８記載の発明によれば、上記構成のインキの粘度を検出する粘度検出手段により、印刷画像に直接的に影響を及ぼすインキの粘度そのものを検出・測定し、押圧力可変制御手段が、粘度検出手段により検出されたインキ粘度とインキ種類検出手段により検出されたインキ種類とに応じて、予め設定された制御パターンテーブルの中から所定の押圧力を選択し、この所定の押圧力が印刷ドラムに加わるように押圧力可変手段を制御するので、複雑な制御パターンテーブルや数多くのセンサ等を必要とすることなく、環境変動及びインキ種類差によるインキの粘度変化に対しても適正な印圧を設定・制御することができ、さらに常に安定した品質の印刷画像を得ることができると共に、印刷直前におけるインキの粘度を検出することができ、また印刷ドラム内のインキ粘度がインキ容器内等のインキ粘度と異なる場合（装置の長時間放置後に起きやすい）でも、より適正にインキの粘度を検出することができる。加えて、インキの粘度を、直接測定せずに電圧値検出手段による電圧値の変化を検出することで簡単に検出・測定することができる。
【０１４２】
請求項９記載の発明によれば、上記構成のインキの粘度を検出する粘度検出手段により、印刷画像に直接的に影響を及ぼすインキの粘度そのものを検出・測定し、押圧力可変制御手段が、粘度検出手段により検出されたインキ粘度とインキ種類設定手段により設定されたインキ種類とに応じて、予め設定された制御パターンテーブルの中から所定の押圧力を選択し、この所定の押圧力が印刷ドラムに加わるように押圧力可変手段を制御するので、複雑な制御パターンテーブルや数多くのセンサ等を必要とすることなく、環境変動及びインキ種類差によるインキの粘度変化に対しても適正な印圧を設定・制御することができ、さらに常に安定した品質の印刷画像を得ることができると共に、印刷直前におけるインキの粘度を検出することができ、また印刷ドラム内のインキ粘度がインキ容器内等のインキ粘度と異なる場合（装置の長時間放置後に起きやすい）でも、より適正にインキの粘度を検出することができる。加えて、インキの粘度を、直接測定せずに電圧値検出手段による電圧値の変化を検出することで簡単に検出・測定することができる。
【０１４３】
請求項１０記載の発明によれば、上記構成のインキの粘度を検出する粘度検出手段により、印刷画像に直接的に影響を及ぼすインキの粘度そのものを検出・測定し、押圧力可変制御手段が、粘度検出手段により検出されたインキ粘度と印刷速度設定手段により設定された印刷速度とに応じて予め設定された制御パターンテーブルの中から所定の押圧力を選択し、この所定の押圧力が印刷ドラムに加わるように押圧力可変手段を制御するので、複雑な制御パターンテーブルや数多くのセンサ等を必要とすることなく、環境変動によるインキの粘度変化及び設定印刷速度の変化に対しても適正な印圧を設定・制御することができ、さらに常に安定した品質の印刷画像を得ることができると共に、印刷直前におけるインキの粘度を検出することができ、また印刷ドラム内のインキ粘度がインキ容器内等のインキ粘度と異なる場合（装置の長時間放置後に起きやすい）でも、より適正にインキの粘度を検出することができる。加えて、インキの粘度を、直接測定せずに電圧値検出手段による電圧値の変化を検出することで簡単に検出・測定することができる。
【０１４４】
請求項１１記載の発明によれば、上記構成のインキの粘度を検出する粘度検出手段により、印刷画像に直接的に影響を及ぼすインキの粘度そのものを検出・測定し、押圧力可変制御手段が、粘度検出手段により検出されたインキ粘度とインキ種類検出手段により検出されたインキ種類と印刷速度設定手段により設定された印刷速度とに応じて、予め設定された制御パターンテーブルの中から所定の押圧力を選択し、この所定の押圧力が印刷ドラムに加わるように押圧力可変手段を制御するので、複雑な制御パターンテーブルや数多くのセンサ等を必要とすることなく、環境変動及びインキ種類差によるインキの粘度変化並びに設定印刷速度の変化に対しても適正な印圧を設定・制御することができ、さらに常に安定した品質の印刷画像を得ることができると共に、印刷直前におけるインキの粘度を検出することができ、また印刷ドラム内のインキ粘度がインキ容器内等のインキ粘度と異なる場合（装置の長時間放置後に起きやすい）でも、より適正にインキの粘度を検出することができる。加えて、インキの粘度を、直接測定せずに電圧値検出手段による電圧値の変化を検出することで簡単に検出・測定することができる。
【０１４５】
請求項１２記載の発明によれば、上記構成のインキの粘度を検出する粘度検出手段により、印刷画像に直接的に影響を及ぼすインキの粘度そのものを検出・測定し、押圧力可変制御手段が、粘度検出手段により検出されたインキ粘度とインキ種類設定手段により設定されたインキ種類と印刷速度設定手段により設定された印刷速度とに応じて、予め設定された制御パターンテーブルの中から所定の押圧力を選択し、この所定の押圧力が印刷ドラムに加わるように押圧力可変手段を制御するので、複雑な制御パターンテーブルや数多くのセンサ等を必要とすることなく、環境変動及びインキ種類差によるインキの粘度変化並びに設定印刷速度の変化に対しても適正な印圧を設定・制御することができ、さらに常に安定した品質の印刷画像を得ることができると共に、印刷直前におけるインキの粘度を検出することができ、また印刷ドラム内のインキ粘度がインキ容器内等のインキ粘度と異なる場合（装置の長時間放置後に起きやすい）でも、より適正にインキの粘度を検出することができる。加えて、インキの粘度を、直接測定せずに電圧値検出手段による電圧値の変化を検出することで簡単に検出・測定することができる。
【０１４６】
請求項１３記載の発明によれば、上記構成のインキの粘度を検出する粘度検出手段により、印刷画像に直接的に影響を及ぼすインキの粘度そのものを検出・測定し、押圧力可変制御手段が、粘度検出手段により検出されたインキ粘度に応じて、予め設定された制御パターンテーブルの中から所定の押圧力を選択し、この選択された所定の押圧力が印刷ドラムに加わるように押圧力可変手段を制御するので、複雑な制御パターンテーブルや数多くのセンサ等を必要とすることなく、環境変動に対して適正な印圧を設定・制御することができ、常に安定した品質の印刷画像を得ることができると共に、印刷直前におけるインキの粘度を検出することができ、また印刷ドラム内のインキ粘度がインキ容器内等のインキ粘度と異なる場合（装置の長時間放置後に起きやすい）でも、より適正にインキの粘度を検出することができる。加えて、インキの粘度を、直接測定せずにインキ粘度検出ローラの回転速度の変化を検出することによってインキの粘度を検出するので、より細かなインキ粘度の変化を検出でき、印刷中であってもその検出がより高い精度で可能となると共に、さらに、インキ粘度の検出精度が電気的ノイズによって影響を受ける度合いも軽減することができる。
【０１４７】
請求項１４記載の発明によれば、上記構成のインキの粘度を検出する粘度検出手段により、印刷画像に直接的に影響を及ぼすインキの粘度そのものを検出・測定し、押圧力可変制御手段が、粘度検出手段により検出されたインキ粘度とインキ種類検出手段により検出されたインキ種類とに応じて、予め設定された制御パターンテーブルの中から所定の押圧力を選択し、この所定の押圧力が印刷ドラムに加わるように押圧力可変手段を制御するので、複雑な制御パターンテーブルや数多くのセンサ等を必要とすることなく、環境変動及びインキ種類差によるインキの粘度変化に対しても適正な印圧を設定・制御することができ、さらに常に安定した品質の印刷画像を得ることができると共に、印刷直前におけるインキの粘度を検出することができ、また印刷ドラム内のインキ粘度がインキ容器内等のインキ粘度と異なる場合（装置の長時間放置後に起きやすい）でも、より適正にインキの粘度を検出することができる。加えて、インキの粘度を、直接測定せずにインキ粘度検出ローラの回転速度の変化を検出することによってインキの粘度を検出するので、より細かなインキ粘度の変化を検出でき、印刷中であってもその検出がより高い精度で可能となると共に、さらに、インキ粘度の検出精度が電気的ノイズによって影響を受ける度合いも軽減することができる。
【０１４８】
請求項１５記載の発明によれば、上記構成のインキの粘度を検出する粘度検出手段により、印刷画像に直接的に影響を及ぼすインキの粘度そのものを検出・測定し、押圧力可変制御手段が、粘度検出手段により検出されたインキ粘度とインキ種類設定手段により設定されたインキ種類とに応じて、予め設定された制御パターンテーブルの中から所定の押圧力を選択し、この所定の押圧力が印刷ドラムに加わるように押圧力可変手段を制御するので、複雑な制御パターンテーブルや数多くのセンサ等を必要とすることなく、環境変動及びインキ種類差によるインキの粘度変化に対しても適正な印圧を設定・制御することができ、さらに常に安定した品質の印刷画像を得ることができると共に、印刷直前におけるインキの粘度を検出することができ、また印刷ドラム内のインキ粘度がインキ容器内等のインキ粘度と異なる場合（装置の長時間放置後に起きやすい）でも、より適正にインキの粘度を検出することができる。加えて、インキの粘度を、直接測定せずにインキ粘度検出ローラの回転速度の変化を検出することによってインキの粘度を検出するので、より細かなインキ粘度の変化を検出でき、印刷中であってもその検出がより高い精度で可能となると共に、さらに、インキ粘度の検出精度が電気的ノイズによって影響を受ける度合いも軽減することができる。
【０１４９】
請求項１６記載の発明によれば、上記構成のインキの粘度を検出する粘度検出手段により、印刷画像に直接的に影響を及ぼすインキの粘度そのものを検出・測定し、押圧力可変制御手段が、粘度検出手段により検出されたインキ粘度と印刷速度設定手段により設定された印刷速度とに応じて予め設定された制御パターンテーブルの中から所定の押圧力を選択し、この所定の押圧力が印刷ドラムに加わるように押圧力可変手段を制御するので、複雑な制御パターンテーブルや数多くのセンサ等を必要とすることなく、環境変動によるインキの粘度変化及び設定印刷速度の変化に対しても適正な印圧を設定・制御することができ、さらに常に安定した品質の印刷画像を得ることができると共に、印刷直前におけるインキの粘度を検出することができ、また印刷ドラム内のインキ粘度がインキ容器内等のインキ粘度と異なる場合（装置の長時間放置後に起きやすい）でも、より適正にインキの粘度を検出することができる。加えて、インキの粘度を、直接測定せずにインキ粘度検出ローラの回転速度の変化を検出することによってインキの粘度を検出するので、より細かなインキ粘度の変化を検出でき、印刷中であってもその検出がより高い精度で可能となると共に、さらに、インキ粘度の検出精度が電気的ノイズによって影響を受ける度合いも軽減することができる。
【０１５０】
請求項１７記載の発明によれば、上記構成のインキの粘度を検出する粘度検出手段により、印刷画像に直接的に影響を及ぼすインキの粘度そのものを検出・測定し、押圧力可変制御手段が、粘度検出手段により検出されたインキ粘度とインキ種類検出手段により検出されたインキ種類と印刷速度設定手段により設定された印刷速度とに応じて、予め設定された制御パターンテーブルの中から所定の押圧力を選択し、この所定の押圧力が印刷ドラムに加わるように押圧力可変手段を制御するので、複雑な制御パターンテーブルや数多くのセンサ等を必要とすることなく、環境変動及びインキ種類差によるインキの粘度変化並びに設定印刷速度の変化に対しても適正な印圧を設定・制御することができ、さらに常に安定した品質の印刷画像を得ることができると共に、印刷直前におけるインキの粘度を検出することができ、また印刷ドラム内のインキ粘度がインキ容器内等のインキ粘度と異なる場合（装置の長時間放置後に起きやすい）でも、より適正にインキの粘度を検出することができる。加えて、インキの粘度を、直接測定せずにインキ粘度検出ローラの回転速度の変化を検出することによってインキの粘度を検出するので、より細かなインキ粘度の変化を検出でき、印刷中であってもその検出がより高い精度で可能となると共に、さらに、インキ粘度の検出精度が電気的ノイズによって影響を受ける度合いも軽減することができる。
【０１５１】
請求項１８記載の発明によれば、上記構成のインキの粘度を検出する粘度検出手段により、印刷画像に直接的に影響を及ぼすインキの粘度そのものを検出・測定し、押圧力可変制御手段が、粘度検出手段により検出されたインキ粘度とインキ種類設定手段により設定されたインキ種類と印刷速度設定手段により設定された印刷速度とに応じて、予め設定された制御パターンテーブルの中から所定の押圧力を選択し、この所定の押圧力が印刷ドラムに加わるように押圧力可変手段を制御するので、複雑な制御パターンテーブルや数多くのセンサ等を必要とすることなく、環境変動及びインキ種類差によるインキの粘度変化並びに設定印刷速度の変化に対しても適正な印圧を設定・制御することができ、さらに常に安定した品質の印刷画像を得ることができると共に、印刷直前におけるインキの粘度を検出することができ、また印刷ドラム内のインキ粘度がインキ容器内等のインキ粘度と異なる場合（装置の長時間放置後に起きやすい）でも、より適正にインキの粘度を検出することができる。加えて、インキの粘度を、直接測定せずにインキ粘度検出ローラの回転速度の変化を検出することによってインキの粘度を検出するので、より細かなインキ粘度の変化を検出でき、印刷中であってもその検出がより高い精度で可能となると共に、さらに、インキ粘度の検出精度が電気的ノイズによって影響を受ける度合いも軽減することができる。
【０１５２】
請求項１９記載の発明によれば、上記構成に加えて、ローラ速度検出手段は、インキ粘度検出ローラに配設されたエンコーダと、このエンコーダに近接して配置されエンコーダと協働してパルスを発生するパルス発生器とを有し、パルス発生器から発生するパルスの変化に基づいてインキの粘度を検出するので、上記効果に加えて、より一層、インキ粘度の検出精度が電気的ノイズによって影響を受けることがなくなる。
【０１５４】
請求項１乃至１９の何れか一つに記載の発明によれば、上記発明の効果に加えて、印刷部位により近い部位のインキの粘度を検出することができるので、環境変動に対してより適正な印圧を設定・制御することができ、常に安定した品質の印刷画像を得ることができ、かつ、ドクターローラによって膜厚が一定のインキ層のインキの粘度を検出・測定できるため、検出精度がより高くなると共に、インキローラとドクターローラとの協働により計量されインキローラに付与されるインキ供給に影響を与えることがないという効果も奏する。
【０１５６】
請求項２０記載の発明によれば、押圧手段がプレスローラからなるので、上記各効果に加えて、装置の小型化を図れると共に装置を簡素化することができる。
【０１５７】
請求項２１記載の発明によれば、押圧手段が印刷ドラムの外周面と略同径の圧胴からなるので、上記各効果に加えて、印刷ドラムに対する押圧手段による印圧時の騒音等を低減することができる。
【０１５８】
請求項２２記載の発明によれば、上記構成のインキ粘度検出装置により、電流値の変化を検出することによってインキの粘度を検出するので、印刷直前におけるインキの粘度を検出することができると共に、インキの粘度を、直接測定せずに電流値検出手段による電流値の変化を検出することで簡単に検出・測定することができる。加えて、印刷部位により近い部位のインキの粘度を検出することができると共に、インキ粘度検出ローラが、インキローラとドクターローラとの近接部におけるインキローラの回転方向下流側のインキ塗布面にインキ層を介して接触すべく配置されているので、ドクターローラによって膜厚が一定のインキ層のインキの粘度を検出・測定できるため検出精度がより高くなり、かつ、インキローラとドクターローラとの協働により計量されインキローラに付与されるインキ供給に影響を与えることがないという効果も奏する。
【０１５９】
請求項２３記載の発明によれば、上記構成のインキ粘度検出装置により、電圧値の変化を検出することによってインキの粘度を検出するので、印刷直前におけるインキの粘度を検出することができると共に、インキの粘度を、直接測定せずに電圧値検出手段による電圧値の変化を検出することで簡単に検出・測定することができる。加えて、印刷部位により近い部位のインキの粘度を検出することができると共に、インキ粘度検出ローラが、インキローラとドクターローラとの近接部におけるインキローラの回転方向下流側のインキ塗布面にインキ層を介して接触すべく配置されているので、ドクターローラによって膜厚が一定のインキ層のインキの粘度を検出・測定できるため検出精度がより高くなり、かつ、インキローラとドクターローラとの協働により計量されインキローラに付与されるインキ供給に影響を与えることがないという効果も奏する。
【０１６０】
請求項２４記載の発明によれば、上記構成のインキ粘度検出装置により、インキ粘度検出ローラの回転速度の変化を検出することによってインキの粘度を検出するので、印刷直前におけるインキの粘度を検出することができると共に、インキの粘度を、直接測定せずにインキ粘度検出ローラの回転速度の変化を検出することによってインキの粘度を検出するので、より細かなインキ粘度の変化を検出でき、印刷中であってもその検出がより高い精度で可能となる。さらに、インキ粘度の検出精度が電気的ノイズによって影響を受ける度合いも軽減することができる。加えて、印刷部位により近い部位のインキの粘度を検出することができると共に、インキ粘度検出ローラが、インキローラとドクターローラとの近接部におけるインキローラの回転方向下流側のインキ塗布面にインキ層を介して接触すべく配置されているので、ドクターローラによって膜厚が一定のインキ層のインキの粘度を検出・測定できるため検出精度がより高くなり、かつ、インキローラとドクターローラとの協働により計量されインキローラに付与されるインキ供給に影響を与えることがないという効果も奏する。
【０１６１】
請求項２５記載の発明によれば、ローラ速度検出手段は、インキ粘度検出ローラに配設されたエンコーダと該エンコーダに近接して配置され該エンコーダと協働してパルスを発生するパルス発生器とを有し、パルス発生器から発生するパルスの変化に基づいてインキの粘度を検出するので、上記効果に加えて、より一層、インキ粘度の検出精度が電気的ノイズによって影響を受けることがなくなる。
【図面の簡単な説明】
【図１】  本発明の実施例１を示す孔版印刷装置の要部の斜視図である。
【図２】  実施例１におけるプレスローラ駆動手段廻りの斜視図である。
【図３】  実施例１における操作パネルの平面図である。
【図４】  実施例１におけるドラムユニット検出センサの模式的な断面図である。
【図５】  実施例１における粘度検出手段の一部を示すブロック図である。
【図６】  実施例１におけるインキ粘度検出モータの定回転速度制御を表すブロック図である。
【図７】  各実施例の制御構成を示すブロック図である。
【図８】  実施例１の概略的な動作を説明するためのフローチャートである。
【図９】  図８に続く部分のフローチャートである。
【図１０】  図８における印圧設定を説明するためのフローチャートである。
【図１１】  実施例１におけるインキ粘度とインキ粘度検出モータ出力電圧との相関を示すグラフである。
【図１２】  実施例１における印圧設定の制御パターンテーブルを示すグラフである。
【図１３】  実施例１における印圧部の印刷状態を説明する部分断面図である。
【図１４】  本発明の実施例２における粘度検出手段の一部を示す拡大斜視図である。
【図１５】  押圧手段の別の例を示す模式的な正面図である。
【図１６】  実施例１の変形例１における粘度検出手段の一部を示すブロック図である。
【図１７】  実施例１の変形例１におけるインキ粘度検出モータの定回転速度制御を表すブロック図である。
【図１８】  本発明を適用する孔版印刷装置の全体構成を示す構成図である。
【図１９】  実施例２におけるインキ粘度とインキ粘度検出モータ出力パルス値との相関を示すグラフである。
【図２０】  実施例２における印圧設定の制御パターンテーブルを示すグラフである。
【符号の説明】
１６，１６Ｘ  粘度検出手段を構成するインキ粘度検出ローラ
１７          粘度検出手段を構成するローラ駆動手段としてのインキ粘度検                出モータ
１９          粘度検出手段を構成する電源としての駆動電源
１９Ａ        粘度検出手段を構成する定電流電源としての定電流駆動電源
２０，２０Ａ            押圧力可変手段
２１，２１Ａ，２１Ｂ    粘度検出手段
２５      電流値検出手段
２７Ａ    電圧値検出手段
３５      インキ種類検出手段としてのドラムユニット検出センサ
４１      インキ種類設定手段としてのインキ種類設定キー
４７      印刷速度設定手段としての印刷速度設定キー
６１ｃ    製版されたマスタとしての製版済マスタ
６２      印刷用紙
１０１    印刷ドラム
１０３    押圧手段としてのプレスローラ
１１９    インキ供給手段
１２０    インキ供給手段を構成するインキローラ
１２１    インキ供給手段を構成するドクターローラ
１２５    押圧手段としての圧胴
１３０    押圧力可変制御手段
１３１    押圧力可変制御手段を構成するＣＰＵ
１３２    押圧力可変制御手段を構成するＲＯＭ
１３３    押圧力可変制御手段を構成するＲＡＭ
１７０    ローラ速度検出手段を構成するエンコーダ
１７１    ローラ速度検出手段を構成するパルス発生器としてのパルス検知セ                ンサ
【図１】
0003980688.tif 000002
【図２】
0003980688.tif 000003
【図３】
0003980688.tif 000004
【図４】
0003980688.tif 000005
【図５】
0003980688.tif 000006
【図６】
0003980688.tif 000007
【図７】
0003980688.tif 000008
【図８】
0003980688.tif 000009
【図９】
0003980688.tif 000010
【図１０】
0003980688.tif 000011
【図１１】
0003980688.tif 000012
【図１２】
0003980688.tif 000013
【図１３】
0003980688.tif 000014
【図１４】
0003980688.tif 000015
【図１５】
0003980688.tif 000016
【図１６】
0003980688.tif 000017
【図１７】
0003980688.tif 000018
【図１８】
0003980688.tif 000019
【図１９】
0003980688.tif 000020
【図２０】
0003980688.tif 000021